(57)【要約】【課題】例えばＭＰＥＧ１又は２等に準拠した実体情報と、例えばＭＰＥＧ４等に準拠した実体情報を含んでなる、ＤＶＤ等の光ディスクの、メニュー画面の構築に係る処理負担を低減可能とする。【解決手段】情報記録媒体（１００）には、第１圧縮符号化方式にて圧縮符号化され、タイトルを夫々構成する一又は複数の第１実体情報（ＶＴＳ）と、これを管理制御する第１管理情報（ＶＭＧ）と、第２圧縮符号化方式にて圧縮符号化され、タイトルを夫々構成する一又は複数の第２実体情報（ＶＴＳ２）と、第１及び第２実体情報を管理制御する第２管理情報（ＶＭＧ２）と、第１又は第２圧縮符号化方式にて圧縮符号化され、第１及び第２実体情報に関する第１メニューを構成する第１メニュー用実体情報（ＶＭＧＭ２＿ＶＯＢ）と、この圧縮符号化方式を示す第１属性情報（ＶＯＢ＿ＶＥＲＮ＿ＦＬＧ）とが記録されている。【選択図】  図２
2004215111.tif 000002
【特許請求の範囲】
【請求項１】
第１圧縮符号化方式により圧縮符号化されていると共に少なくとも映像を含むコンテンツの論理的なまとまりであるタイトルを夫々構成するための一又は複数の第１実体情報と、
該第１実体情報を管理制御するための第１管理情報と、
前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、
前記第１及び第２実体情報を管理制御するための第２管理情報と、
前記第１又は第２圧縮符号化方式により圧縮符号化されており、前記第１及び第２実体情報に関連する第１メニューを構成するための第１メニュー用実体情報と、
前記第１メニュー用実体情報を圧縮符号化した前記第１又は第２圧縮符号化方式を示す第１属性情報と
が記録されていることを特徴とする情報記録媒体。
【請求項２】
前記第１圧縮符号化方式は、前記第２圧縮符号化方式と比較して圧縮率に劣る圧縮符号化方式であり、
前記第１メニュー用実体情報は、前記第１圧縮符号化方式により圧縮符号化されていることを特徴とする請求項１に記載の情報記録媒体。
【請求項３】
第１圧縮符号化方式により圧縮符号化されていると共に少なくとも映像を含むコンテンツの論理的なまとまりであるタイトルを夫々構成するための一又は複数の第１実体情報に加えて又は代えて、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、
前記第１実体情報を管理制御するための第１管理情報に加えて又は代えて、前記第１及び第２実体情報のうち少なくとも前記第２実体情報を管理制御するための第２管理情報と、
前記第１圧縮符号化方式により圧縮符号化されており、前記第１及び第２実体情報のうち少なくとも前記第２実体情報に関連する第１メニューを構成するための第１メニュー用実体情報と、
前記第１メニュー用実体情報を圧縮符号化した圧縮符号化方式として前記第１圧縮符号化方式を示す第１属性情報と
が記録されており、
前記第１圧縮符号化方式は、前記第２圧縮符号化方式と比較して圧縮率に劣る圧縮符号化方式であることを特徴とする情報記録媒体。
【請求項４】
前記第２管理情報は、当該第２管理情報全体に関する第１全体論理情報を有しており、
前記第１属性情報は、前記第１全体論理情報内に含まれる、前記第１メニュー用実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなることを特徴とする請求項１から３のいずれか一項に記載の情報記録媒体。
【請求項５】
前記第２管理情報は、当該第２管理情報全体に関する第１全体論理情報を有しており、
前記第１属性情報は、前記第１全体論理情報内に含まれる、前記第１メニュー用実体情報を構成する複数のセルに関する一又は複数のセル情報内に記録されるｎビット（但し、ｎは１以上の自然数）のフラグ情報からなることを特徴とする請求項１から３のいずれか一項に記載の情報記録媒体。
【請求項６】
前記第１又は第２圧縮符号化方式により圧縮符号化されており、前記第２実体情報に関連する第２メニューを構成するための第２メニュー用実体情報と、
前記第２メニュー用実体情報を圧縮符号化した前記第１又は第２圧縮符号化方式を示す第２属性情報と
が記録されていることを特徴とする請求項１から５のいずれか一項に記載の情報記録媒体。
【請求項７】
前記第２実体情報は、当該第２実体情報全体に関する第２全体論理情報を有しており、
前記第２属性情報は、前記第２全体論理情報内に含まれる、前記第２メニュー用実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなることを特徴とする請求項６に記載の情報記録媒体。
【請求項８】
前記第２実体情報は、当該第２実体情報全体に関する第２全体論理情報を有しており、
前記第２属性情報は、前記第２全体論理情報内に含まれる、前記第２メニュー用実体情報を構成する複数のセルに関する一又は複数のセル情報内に記録されるｎビット（但し、ｎは１以上の自然数）のフラグ情報からなることを特徴とする請求項６に記載の情報記録媒体。
【請求項９】
第１圧縮符号化方式により圧縮符号化されていると共に少なくとも映像を含むコンテンツの論理的なまとまりであるタイトルを夫々構成するための一又は複数の第１実体情報と、
該第１実体情報を管理制御するための第１管理情報と、
（ｉ）前記第１圧縮符号化方式と異なる第２圧縮符号化方式により圧縮符号化された一又は複数の単位情報からなる第１部分と（ｉｉ）前記第１圧縮符号化方式により圧縮符号化された一又は複数の単位情報からなる第２部分とが混在すると共に、前記コンテンツと同一又は異なるコンテンツの論理的なまとまりであるタイトルを夫々構成するための一又は複数の第２実体情報と、
前記第１及び第２実体情報を管理制御するための第２管理情報と、
前記第１又は第２圧縮符号化方式により圧縮符号化されており、前記第１及び第２実体情報に関連する第１メニューを構成するための第１メニュー用実体情報と、
前記第１メニュー用実体情報を圧縮符号化した前記第１又は第２圧縮符号化方式を示す第１属性情報と、
前記第１及び第２部分別に、前記第２実体情報を圧縮符号化した前記第１又は第２圧縮符号化方式を示す第３属性情報と
が記録されていることを特徴とする情報記録媒体。
【請求項１０】
前記第２実体情報は、当該第２実体情報全体に関する第２全体論理情報を有しており、
前記第３属性情報は、前記第２全体論理情報内に含まれる、前記第２実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなることを特徴とする請求項９に記載の情報記録媒体。
【請求項１１】
前記第２実体情報は、当該第２実体情報全体に関する第２全体論理情報を有しており、
前記第３属性情報は、前記第２全体論理情報内に含まれる、前記第２実体情報を構成する複数のセルに関する一又は複数のセル情報内に記録されるｎビット（但し、ｎは１以上の自然数）のフラグ情報からなることを特徴とする請求項９に記載の情報記録媒体。
【請求項１２】
前記第２管理情報は、当該第２管理情報全体に関する第１全体論理情報を有しており、
前記第３属性情報は、前記第１全体論理情報内に含まれる、前記第２管理情報が管理する前記タイトルの各々にアクセスするための管理情報テーブル内に記録されるｎビット（但し、ｎは１以上の自然数）のフラグ情報からなることを特徴とする請求項９に記載の情報記録媒体。
【請求項１３】
前記第１、第２及び第３属性情報のうち少なくとも一つは、対応する前記第１メニュー用実体情報、第２メニュー用実体情報又は第２実体情報の記録領域内に存在する空き領域に記録されるｎビット（但し、ｎは１以上の自然数）のフラグ情報からなることを特徴とする請求項１から１２のいずれか一項に記載の情報記録媒体。
【請求項１４】
前記第１メニュー用実体情報、第２メニュー用実体情報又は第２実体情報は、物理的にアクセス可能な情報単位にパック化されると共に、該パック化された情報単位を再生制御するためのナビゲーション情報がパック化されてなるナビパックを有し、
前記第１、第２及び第３属性情報のうち少なくとも一つは、前記ナビパック内に配置されたデータサーチ用の制御情報内に記録されるｎビット（但し、ｎは１以上の自然数）のフラグ情報からなることを特徴とする請求項１３に記載の情報記録媒体。
【請求項１５】
請求項１から８のいずれか一項に記載の情報記録媒体を再生する情報再生装置であって、
前記情報記録媒体から情報を読取る読取手段と、
該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する判定手段と、
該判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する復号化手段と
を備えたことを特徴とする情報再生装置。
【請求項１６】
請求項９から１２のいずれか一項に記載の情報記録媒体を再生する情報再生装置であって、
前記情報記録媒体から情報を読取る読取手段と、
該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する第１判定手段と、
前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定手段と、  （ｉ）前記第１判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化し、（ｉｉ）前記第２判定手段により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する復号化手段と
を備えたことを特徴とする情報再生装置。
【請求項１７】
前記復号化手段は、前記第１圧縮符号化方式に対応する第１デコーダ及び前記第２圧縮符号化方式に対応する第２デコーダを含むデコーダ手段を含むことを特徴とする請求項１５又は１６に記載の情報再生装置。
【請求項１８】
請求項１から８のいずれか一項に記載の情報記録媒体を再生する情報再生方法であって、
前記情報記録媒体から情報を読取る読取工程と、
該読取工程により読取られた情報に基づいて、前記第１メニュー用実体情報が前記第１圧縮符号化方式により圧縮符号化されているか又は前記第２圧縮符号化方式により圧縮符号化されているかを判定する判定工程と、
該判定工程により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する復号化工程と
を備えたことを特徴とする情報再生方法。
【請求項１９】
請求項９から１２のいずれか一項に記載の情報記録媒体を再生する情報再生方法であって、
前記情報記録媒体から情報を読取る読取工程と、
該読取工程により読取られた情報に基づいて、前記第１メニュー用実体情報が前記第１圧縮符号化方式により圧縮符号化されているか又は前記第２圧縮符号化方式により圧縮符号化されているかを判定する第１判定工程と、
該第１判定工程により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する第１復号化工程と、
前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定工程と、
該第２判定工程により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する第２復号化工程と
を備えたことを特徴とする情報再生方法。
【請求項２０】
コンピュータを請求項１５から１７のいずれか一項に記載の情報再生装置として機能させることを特徴とするコンピュータプログラム。
【発明の詳細な説明】
【０００１】
【発明の属する技術分野】
本発明は、例えばＤＶＤ等の情報記録媒体、例えばＤＶＤプレーヤ等の情報再生装置及び方法、並びにコンピュータをこのような情報再生装置として機能させるコンピュータプログラムの技術分野に属する。
【０００２】
【従来の技術】
従来、ＤＶＤ−Ｖｉｄｅｏ（ＤＶＤビデオ）規格に準拠した光ディスクである“ＤＶＤビデオディスク”では、圧縮符号化方式の一例であるＭＰＥＧ（ＭｏｖｉｎｇＰｉｃｔｕｒｅ  Ｅｘｐｅｒｔ  Ｇｒｏｕｐ）１又はＭＰＥＧ２により圧縮符号化されたビデオ情報を記録している。ＤＶＤビデオディスクによれば、映画一本程度のコンテンツ情報を、１枚のディスク上に記録可能な程度にまで、記録データの圧縮符号化及び高密度記録化が進められてきている。この種のＤＶＤでは、映像情報については、ＳＤ（スタンダードデフィニション）規格で記録されているのが通常である。
【０００３】
他方、ＤＶＤ−Ａｕｄｉｏ（ＤＶＤオーディオ）規格に準拠したディスクである“ＤＶＤオーディオディスク”も商品化されており、これと前述の“ＤＶＤビデオディスク”との両者を再生可能なＤＶＤコンパチブルプレーヤも開発されている。
【０００４】
例えば、ＤＶＤオーディオディスク対応プレーヤでも、オーディオ情報のみを再生可能とする技術が、特許文献１及び２に開示されている。また例えば、ビデオゾーンとオーディオゾーンとを有するＤＶＤに記録された映像情報や音声情報をコンパチブルプレーヤにより効率的に再生する技術が、特許文献３及び４に開示されている。
【０００５】
【特許文献１】
特開平１１−１６４２４３号公報
【特許文献２】
特開２０００−２８５６４８号公報
【特許文献３】
特開平１１−２６５５６３号公報
【特許文献４】
特開２０００−２９３９５０号公報
【０００６】
【発明が解決しようとする課題】
この種の情報記録媒体においても、例えば、ＳＤ規格のコンテンツ情報から更に進んで、既に実用化されているＨＤ（ハイデフィニション）規格のコンテンツ情報、即ち、所謂“ハイビジョン”のコンテンツ情報を記録したいという一般的要請がある。
【０００７】
しかしながら、このような要請に応えるべく、青色レーザ用であり且つより高密度記録可能なＤＶＤを開発し、更にこれを再生可能な青色レーザを用いたＤＶＤプレーヤを開発することが先ず考えられるが、これらを実用化するためには、現状では、技術的或いは経済的な問題点が多い。
【０００８】
他方で、このような要請に応えるべく、例えばＭＰＥＧ４  ｐａｒｔ  １０  ｃｏｄｉｎｇ（以下適宜、単にＭＰＥＧ４と称する）といった、現在採用されているＭＰＥＧ１又はＭＰＥＧ２と比較して、より高効率の圧縮符号化方式を採用することで、現在の赤色レーザ用のＤＶＤに、例えばハイビジョンのコンテンツ情報を記録し、これを、赤色レーザを用いたＤＶＤプレーヤで再生することも考えられる。
【０００９】
しかしながら、仮に、例えばＭＰＥＧ４といった高効率で圧縮符号化を行うことにより、２時間程度のハイビジョンのコンテンツ情報を一枚のＤＶＤ上に記録すること自体が可能であったとしても、次のような問題が生じる。即ち、既に全世界的に普及しているＤＶＤプレーヤによっては、このようなＭＰＥＧ４といった高効率で圧縮符号化されたコンテンツ情報を再生できないという問題点がある。より具体的には、例えばＭＰＥＧ４用のデコーダが備えられていない従来のＤＶＤプレーヤによっては、仮にハイビジョンのコンテンツ情報が記録されたＤＶＤがあったとしても、これを再生できないという技術的問題点がある。逆に、既に普及しているＤＶＤプレーヤで再生可能なＤＶＤの販売と並行して、既に普及しているＤＶＤプレーヤで再生できないようなＤＶＤを販売したのでは、無駄が多く、市場に混乱を招くと共に商業的な成功は殆ど見込めない。
【００１０】
加えて、ＤＶＤには、例えば、音声、字幕、タイトルなどを選択するためのメニュー画面を表示するためのメニュー情報が記録されるが、その製作には大変な手数及び時間がかかる。従って、上述のＭＰＥＧ１又は２の如き圧縮符号化方式を用いたディスクとは別に、上述のＭＰＥＧ４の如く高効率圧縮符号化方式を用いたディスクを新たに作成する際に、当該ディスク用に新たにメニュー情報を作成することが、コンテンツ製作者側に大きな負担をかけるという技術的問題点も生じる。
【００１１】
本発明は、例えば上述した従来の問題点に鑑みなされたものであり、例えばＭＰＥＧ１やＭＰＥＧ２といった従来の圧縮符号化方式用の情報再生装置であっても再生可能であり、しかも例えばＭＰＥＧ４といった、より進んだ高効率の圧縮符号化方式用の情報再生装置であっても再生可能であると共に、メニュー画面の作成に係る処理負担を低減可能である情報記録媒体、このような情報記録媒体の再生を可能ならしめる情報再生装置及び方法、並びにコンピュータをこのような情報再生装置として機能させるコンピュータプログラムを提供することを課題とする。
【００１２】
【課題を解決するための手段】
本発明の請求項１記載の情報記録媒体は上記課題を解決するために、第１圧縮符号化方式により圧縮符号化されていると共に少なくとも映像を含むコンテンツの論理的なまとまりであるタイトルを夫々構成するための一又は複数の第１実体情報と、該第１実体情報を管理制御するための第１管理情報と、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、前記第１及び第２実体情報を管理制御するための第２管理情報と、前記第１又は第２圧縮符号化方式により圧縮符号化されており、前記第１及び第２実体情報に関連する第１メニューを構成するための第１メニュー用実体情報と、前記第１メニュー用実体情報を圧縮符号化した前記第１又は第２圧縮符号化方式を示す第１属性情報とが記録されている。
【００１３】
本発明の請求項３記載の情報記録媒体は上記課題を解決するために、第１圧縮符号化方式により圧縮符号化されていると共に少なくとも映像を含むコンテンツの論理的なまとまりであるタイトルを夫々構成するための一又は複数の第１実体情報に加えて又は代えて、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、前記第１実体情報を管理制御するための第１管理情報に加えて又は代えて、前記第１及び第２実体情報のうち少なくとも前記第２実体情報を管理制御するための第２管理情報と、前記第１圧縮符号化方式により圧縮符号化されており、前記第１及び第２実体情報のうち少なくとも前記第２実体情報に関連する第１メニューを構成するための第１メニュー用実体情報と、前記第１メニュー用実体情報を圧縮符号化した圧縮符号化方式として前記第１圧縮符号化方式を示す第１属性情報とが記録されており、前記第１圧縮符号化方式は、前記第２圧縮符号化方式と比較して圧縮率に劣ると共に符号化及び復号化処理が単純である。
【００１４】
本発明の請求項９記載の情報記録媒体は上記課題を解決するために、第１圧縮符号化方式により圧縮符号化されていると共に少なくとも映像を含むコンテンツの論理的なまとまりであるタイトルを夫々構成するための一又は複数の第１実体情報と、該第１実体情報を管理制御するための第１管理情報と、（ｉ）前記第１圧縮符号化方式と異なる第２圧縮符号化方式により圧縮符号化された一又は複数の単位情報からなる第１部分と（ｉｉ）前記第１圧縮符号化方式により圧縮符号化された一又は複数の単位情報からなる第２部分とが混在すると共に、前記コンテンツと同一又は異なるコンテンツの論理的なまとまりであるタイトルを夫々構成するための一又は複数の第２実体情報と、前記第１及び第２実体情報を管理制御するための第２管理情報と、前記第１又は第２圧縮符号化方式により圧縮符号化されており、前記第１及び第２実体情報に関連する第１メニューを構成するための第１メニュー用実体情報と、前記第１メニュー用実体情報を圧縮符号化した前記第１又は第２圧縮符号化方式を示す第１属性情報と、前記第１及び第２部分別に、前記第２実体情報を圧縮符号化した前記第１又は第２圧縮符号化方式を示す第３属性情報とが記録されている。
【００１５】
本発明の請求項１５記載の情報再生装置は上記課題を解決するために、請求項１から８のいずれか一項に記載の情報記録媒体を再生する情報再生装置であって、前記情報記録媒体から情報を読取る読取手段と、該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する判定手段と、該判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する復号化手段とを備える。
【００１６】
本発明の請求項１６記載の情報再生装置は上記課題を解決するために、請求項９から１２もいずれか一項に記載の情報記録媒体を再生する情報再生装置であって、前記情報記録媒体から情報を読取る読取手段と、該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する第１判定手段と、前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定手段と、（ｉ）前記第１判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化し、（ｉｉ）前記第２判定手段により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する復号化手段とを備える。
【００１７】
本発明の請求項１８記載の情報再生方法は上記課題を解決するために、請求項１から８のいずれか一項に記載の情報記録媒体を再生する情報再生方法であって、前記情報記録媒体から情報を読取る読取工程と、該読取工程により読取られた情報に基づいて、前記第１メニュー用実体情報が前記第１圧縮符号化方式により圧縮符号化されているか又は前記第２圧縮符号化方式により圧縮符号化されているかを判定する判定工程と、該判定工程により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する復号化工程とを備える。
【００１８】
本発明の請求項１９記載の情報再生方法は上記課題を解決するために、請求項９から１２のいずれか一項に記載の情報記録媒体を再生する情報再生方法であって、前記情報記録媒体から情報を読取る読取工程と、該読取工程により読取られた情報に基づいて、前記第１メニュー用実体情報が前記第１圧縮符号化方式により圧縮符号化されているか又は前記第２圧縮符号化方式により圧縮符号化されているかを判定する第１判定工程と、該第１判定工程により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する第１復号化工程と、前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定工程と、該第２判定工程により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する第２復号化工程とを備える。
【００１９】
本発明の請求項２０記載のコンピュータプログラムは上記課題を解決するために、コンピュータを請求項１５から１７のいずれか一項に記載の情報再生装置として機能させる。
【００２０】
本発明の作用及び他の利得は次に説明する実施の形態から明らかにされよう。
【００２１】
【発明の実施の形態】
以下、本発明の実施形態に係る情報記録媒体、情報再生装置及び方法、並びにコンピュータプログラムについて順に説明する。
【００２２】
（情報記録媒体の実施形態）
本発明の情報記録媒体に係る第１実施形態は、第１圧縮符号化方式により圧縮符号化されていると共に少なくとも映像を含むコンテンツの論理的なまとまりであるタイトルを夫々構成するための一又は複数の第１実体情報と、該第１実体情報を管理制御するための第１管理情報と、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、前記第１及び第２実体情報を管理制御するための第２管理情報と、前記第１又は第２圧縮符号化方式により圧縮符号化されており、前記第１及び第２実体情報に関連する第１メニューを構成するための第１メニュー用実体情報と、前記第１メニュー用実体情報を圧縮符号化した前記第１又は第２圧縮符号化方式を示す第１属性情報とが記録されている。
【００２３】
本発明に係る情報記録媒体の第１実施形態によれば、例えば後述のＶＴＳ＿ＶＯＢ（ＶＴＳ＃１、ＶＴＳ＃２、…、ＶＴＳ＃ｎ）である第１実体情報は、例えばＭＰＥＧ２又はＭＰＥＧ１である第１圧縮符号化方式により圧縮符号化されており、タイトルを夫々構成する。ここに「タイトル」とは、例えば映画一本、ドラマ一本、スポーツ番組一本、ゲーム一本等の論理的にまとまっている単位であり、映像及び音声の両者若しくは映像のみのコンテンツからなる。即ち、第１実体情報は、例えば伝統的なＤＶＤに記録されていたＳＤ規格の映像情報等である。他方、例えば後述のＶＴＳ２＿ＶＯＢ（ＶＴＳ２＃１、ＶＴＳ２＃２、…、ＶＴＳ２＃ｍ）である第２実体情報は、第１圧縮符号化方式と異なる、例えばＭＰＥＧ４の如き第２圧縮符号化方式により圧縮符号化されており、タイトルを夫々構成する。即ち、第２実体情報は、例えば伝統的なＤＶＤに記録されていなかったＨＤ規格或いはハイビジョンの映像情報等である。この際、第２実体情報が構成するタイトルと第１実体情報が構成するタイトルとは、規格や画質が相異なる同一映画など、同一のコンテンツからなってもよい。或いは、ダイジェスト版と特別版や、相互に何らかの関連のあるコンテンツ、更に内容の全く違う映画など、非同一のコンテンツからなってもよい。
【００２４】
本発明に係る情報記録媒体の第１実施形態の再生時にメニュー表示を行う際には、先ず、第１属性情報を参照することによって、例えば後述のＶＭＧＭ２＿ＶＯＢＳである第１メニュー用実体情報の圧縮符号化方式が、第１圧縮符号化方式であるか又は第２圧縮符号化方式であるかが迅速且つ確実に検出される。そして、第１属性情報により、第１メニュー用実体情報が、例えばＭＰＥＧ１又は２等の第１圧縮符号化方式であると判定された場合には、例えばＭＰＥＧ１デコーダ又はＭＰＥＧ２デコーダを用いることにより、第１メニュー用実体情報をデコードし、最終的にデコードされた第１メニュー用実体情報を再生することでメニュー画面の表示出力が可能となる。他方、第１属性情報により、第１メニュー用実体情報が、例えばＭＰＥＧ４等の第２圧縮符号化方式であると判定された場合には、例えばＭＰＥＧ４デコーダを用いることにより、第１メニュー用実体情報をデコードし、最終的に、デコードされた第１メニュー用実体情報を再生することでメニュー画面の表示出力が可能となる。従って、いずれの場合であっても、第１及び第２圧縮符号化方式に対応する二つの切替可能なデコーダを有している、例えばＤＶＤプレーヤ等の情報再生装置であれば、本発明に係る情報記録媒体を適切に再生可能となり、メニュー表示が適切に行われることになる。特に、例えばＭＰＥＧ１又は２の圧縮符号化方式を用いてメニュー用実体情報が既に構築されている場合には、これを第１メニュー用実体情報として記録することで、再生時には、タイトルについての圧縮符号化方式が例えばＭＰＥＧ４であっても、当該第１メニュー用実体情報を用いてのメニュー表示、言わば、既存のメニュー用情報を転用することが可能となる。即ち、これを新たにＭＰＥＧ４等に準拠して作成する必要はなくなるので、コンテンツ作成者をして実用上大変有利である。
【００２５】
このように、本発明に係る情報記録媒体の第１実施形態によれば、既に作成されたメニュー用実体情報として、例えばＭＰＥＧ１又は２の如き第１圧縮符号化方式により作成された第１メニュー用実体情報が存在すれば、これを本発明に係る情報記録媒体に転用できる。そして、メニュー再生用のデコーダ等と、タイトル再生用のデコーダ等とを適宜に切り替えつつ、ユーザ側から見れば、特に意識せずとも、メニューを視聴でき、これに対応するタイトルを視聴できる。
【００２６】
加えて、メニュー用の実体情報であれば、タイトルと比べると概ねデータ量が格段に少ない。このため、圧縮率に劣る符号化方式により作成された既存のタイトルのメニュー用実体情報をそのまま転用しても、情報記録媒体上のデータ量の無駄使いは事実上殆ど起こらないので、本発明の如き構成は総合的に見て大変有利である。
【００２７】
本発明の情報記録媒体に係る第１実施形態の一の態様では、前記第１圧縮符号化方式は、前記第２圧縮符号化方式と比較して圧縮率に劣る圧縮符号化方式であり、前記第１メニュー用実体情報は、前記第１圧縮符号化方式により圧縮符号化されている。
【００２８】
この態様によれば、既存のＤＶＤ用に用意されている第１圧縮符号化方式に準拠した第１メニュー用実体情報を用いて、メニュー画面を表示することが可能となる。即ち、既存の第１メニュー用実体情報が既に構築されていれば、それを転用することが可能となる。
【００２９】
加えて、第１メニュー用の実体情報は、タイトルと比べると概ねデータ量が格段に少ない。このため、圧縮率に劣る第１圧縮符号化方式により作成された既存の第１メニュー用実体情報をそのまま用いても、データ量の無駄遣いとなることはない。
【００３０】
本発明の情報記録媒体に係る第２実施形態は、第１圧縮符号化方式により圧縮符号化されていると共に少なくとも映像を含むコンテンツの論理的なまとまりであるタイトルを夫々構成するための一又は複数の第１実体情報に加えて又は代えて、前記第１圧縮符号化方式と異なる第２圧縮符号化方式により圧縮符号化されていると共に前記コンテンツと同一又は異なるコンテンツの論理的なまとまりであるタイトルを夫々構成するための一又は複数の第２実体情報と、前記第１実体情報を管理制御するための第１管理情報に加えて又は代えて、前記第１及び第２実体情報のうち少なくとも前記第２実体情報を管理制御するための第２管理情報と、前記第１圧縮符号化方式により圧縮符号化されており、前記第１及び第２実体情報のうち少なくとも前記第２実体情報に関連する第１メニューを構成するための第１メニュー用実体情報と、前記第１メニュー用実体情報を圧縮符号化した圧縮符号化方式として前記第１圧縮符号化方式を示す第１属性情報とが記録されており、前記第１圧縮符号化方式は、前記第２圧縮符号化方式と比較して圧縮率に劣ると共に符号化及び復号化処理が単純である。
【００３１】
本発明の情報記録媒体に係る第２実施形態によれば、例えば後述のＶＴＳ２＿ＶＯＢ（ＶＴＳ２＃１、…、ＶＴＳ２＃ｍ）である第２実体情報が記録されている。該第２実体情報は、例えばＭＰＥＧ４の如き第２圧縮符号化方式により圧縮符号化されており、タイトルを夫々構成する。加えて、例えばＭＰＥＧ１又は２の如き第１圧縮符号方式により圧縮符号化された、例えば後述のＶＴＳ＿ＶＯＢ（ＶＴＳ＃１、…、ＶＴＳ＃ｎ）である第１実体情報が記録されていてもよいし、記録されていなくともよい。
【００３２】
本実施形態では特に、例えば後述のＶＭＧＭ２＿ＶＯＢＳである第１メニュー用実体情報は、第１圧縮符号化方式により圧縮符号化されて記録されている。即ち、例えばＭＰＥＧ４の如き第２圧縮符号化方式と比較して、符号化及び復号化処理の単純な第１圧縮符号化方式に準拠した第１メニュー用実体情報を用いることが可能となる。このため、第２圧縮符号化方式により圧縮符号化された第２実体情報によりタイトルが構成されている場合であっても、既存の第１圧縮符号化方式により作成された第１メニュー用実体情報が既に構築されていれば、これを転用して、メニュー画面を表示出力することが可能となる。即ち、新たに第２圧縮符号化方式により圧縮符号化されたメニュー用実体情報を別途作成する必要がなくなり、コンテンツ作成者にとって、実用上大変有利である。
【００３３】
このように、本発明に係る情報記録媒体の第２実施形態によれば、既に作成されたメニュー用実体情報として、例えばＭＰＥＧ１又は２の如き第１圧縮符号化方式により作成された第１メニュー用実体情報が存在すれば、これを本発明に係る情報記録媒体に転用できる。そして、メニュー再生用のデコーダ等と、タイトル再生用のデコーダ等とを適宜に切り替えつつ、ユーザ側から見れば、特に意識せずとも、第１圧縮符号化方式に準拠して作成されたメニューを視聴でき、これに対応する第１圧縮符号化方式或いは第２圧縮符号化方式に準拠して作成されたタイトルを視聴できる。
【００３４】
加えて、メニュー用の実体情報であれば、タイトルと比べると概ねデータ量が格段に少ない。このため、圧縮率に劣る符号化方式により作成された既存のタイトルのメニュー用実体情報をそのまま転用しても、情報記録媒体上のデータ量の無駄使いは事実上殆ど起こらないので、本発明の如き構成は総合的に見て大変有利である。
【００３５】
本発明の情報記録媒体に係る第１又は第２実施形態の他の態様では、前記第２管理情報は、当該第２管理情報全体に関する第１全体論理情報を有しており、前記第１属性情報は、前記第１全体論理情報内に含まれる、前記第１メニュー用実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなる。
【００３６】
この態様によれば、第１属性情報は、例えば後述のＶＭＧ２Ｉである第１全体論理情報内に含まれる、第１メニュー用実体情報を構成する情報単位たる複数のセルの論理的区分を示すプログラムチェイン情報にアクセスするための管理情報（例えば後述のＶＭＧＭ２＿ＰＧＣＩ＿ＳＲＰ（ＶＭＧＭ２＿ＰＧＣＩ＿ＳＲＰ＃１、…、ＶＭＧＭ２＿ＰＧＣＩ＿ＳＲＰ＃ｑ））内に、所定ビット数のフラグ情報として記録される。
【００３７】
これにより、第１メニュー用実体情報を用いて、第１メニューを表示出力する処理工程において、適宜第１属性情報を参照することが可能となる。
【００３８】
この態様によれば特に、情報再生装置は、下層としてのＶＯＢＵ等の第１メニュー用実体情報の参照に先んじて、上層としての第２管理情報内のＶＭＧＭ２＿ＰＧＣＩ＿ＳＲＰ等の管理情報を参照することによって、そのフラグ情報に従って第１メニュー用実体情報の圧縮符号化方式を判別することができる。
【００３９】
尚、第２管理情報内のＶＭＧＭ２＿ＰＧＣＩ＿ＳＲＰ等の管理情報を、例えばリードインエリア等に記録しておき、情報再生装置は、これを全て又はまとめて、第１又は第２実体情報の再生前に再生し、且つその内蔵メモリ等に再生終了まで保持しておくとよい。これにより、その後の、第１メニュー情報の再生時に、内蔵メモリ上のテーブル、リスト等形式で属性情報を即時に参照可能となる。
【００４０】
但し、この態様は、例えば同一ＰＧＣ内での複数のＶＯＢＵの圧縮符号化方式の混在を許可しない場合に有効である。即ち、例えば同一ＰＧＣ内で複数の属性情報を許可する場合には、適用外となる。
【００４１】
本発明の情報記録媒体に係る第１又は第２実施形態の他の態様では、前記第２管理情報は、当該第２管理情報全体に関する第１全体論理情報を有しており、前記第１属性情報は、前記第１全体論理情報内に含まれる、前記第１メニュー用実体情報を構成する複数のセルに関する一又は複数のセル情報内に記録されるｎビット（但し、ｎは１以上の自然数）のフラグ情報からなる。
【００４２】
この態様によれば、第１属性情報は、例えば後述のＶＭＧ２Ｉである第１全体論理情報内に含まれる、第１メニュー用実体情報を構成する情報単位たる複数のセルに関する情報を含んでなるセル情報（例えば後述のＶＭＧＭ２＿ＣＰＩ（ＶＭＧＭ２＿ＣＰＩ＃１、…、ＶＭＧＭ２＿ＣＰＩ＃ｒ））内に、所定ビット数のフラグ情報として記録される。
【００４３】
これにより、第１メニュー用実体情報を用いて、第１メニューを表示出力する処理工程において、適宜第１属性情報を参照することが可能となる。
【００４４】
この態様によれば特に、情報再生装置は、下層としてのＶＯＢＵ等の第１メニュー用実体情報の参照に先んじて、上層としての第１全体管理情報を参照する際に、これに含まれる例えばＶＭＧＭ２＿ＣＰＩ等のセル情報を参照することによって、そのフラグ情報に従って第１メニュー用実体情報の圧縮符号化方式を判別することができる。
【００４５】
本発明の情報記録媒体に係る第１又は第２実施形態の他の態様では、前記第１又は第２圧縮符号化方式により圧縮符号化されており、前記第２実体情報に関連する第２メニューを構成するための第２メニュー用実体情報と、前記第２メニュー用実体情報を圧縮符号化した前記第１又は第２圧縮符号化方式を示す第２属性情報とが記録されている。
【００４６】
この態様によれば、例えばＤＶＤ等のディスク全体に関するディスクメニューを構成する第１メニューの表示に加えて、例えば第１或いは第２実体情報に含まれる夫々のタイトルごとに設定されたタイトルメニューを構成する第２メニューを適宜表示出力することが可能となる。具体的には、先ず、第２属性情報を参照することによって、例えば後述のＶＴＳＭ２＿ＶＯＢである第２メニュー用実体情報の圧縮符号化方式が、第１圧縮符号化方式であるか又は第２圧縮符号化方式であるかが迅速且つ確実に検出される。そして、前述の第１メニュー用実体情報を再生する場合と同様に、該第２メニュー用実体情報が圧縮符号化された圧縮符号化方式に対応したデコーダにより、第２メニュー用実体情報をデコードする。該デコードされた第２メニュー用実体情報を再生することで、例えば夫々のタイトルごとに設定されたメニュー画面の表示出力が可能となる。
【００４７】
従って、第１メニュー表示と同様に、適切に第２メニューを表示出力することが可能となる。特に、例えばＭＰＥＧ１又は２の圧縮符号化方式に準拠した既存の第２メニュー用実体情報が既に構築されている場合には、これを第２メニュー用実体情報として記録することが可能となる。このため、再生時には、夫々のタイトルについての圧縮符号化方式が例えばＭＰＥＧ４であっても、メニュー再生用のデコーダと、タイトル再生用のデコーダとを適宜切り替えることによって、当該第２メニュー用実体情報を用いてのメニュー表示、言わば、既存のメニュー情報を転用することが可能となる。即ち、これを新たにＭＰＥＧ４等に準拠して作成する必要がなくなるため、コンテンツ作成者として実用上大変有利である。
【００４８】
これにより、例えばＤＶＤ等の全体に関するメニュー用の実体情報だけでなく、例えばタイトルごとに設定されるメニュー用の実体情報についても、既存のタイトルのメニュー情報を転用することが可能である。即ち、コンテンツ作成において、実用上更に有利となる。
【００４９】
本発明の情報記録媒体に係る第１又は第２実施形態の他の態様では、前記第２実体情報は、当該第２実体情報全体に関する第２全体論理情報を有しており、前記第２属性情報は、前記第２全体論理情報内に含まれる、前記第２メニュー用実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなる。
【００５０】
この態様によれば、第２属性情報は、例えば後述のＶＴＳ２Ｉである第２全体論理情報内に含まれる、第２メニュー用実体情報を構成する情報単位たる複数のセルの論理的区分を示すプログラムチェイン情報にアクセスするための管理情報（例えば後述のＶＴＳＭ２＿ＰＧＣＩ＿ＳＲＰ（ＶＴＳＭ２＿ＰＧＣＩ＿ＳＲＰ＃１、…、ＶＴＳＭ２＿ＰＧＣＩ＿ＳＲＰ＃ｕ））内に、所定ビット数のフラグ情報として記録される。
【００５１】
これにより、第２メニュー用実体情報を用いて、第２メニューを表示出力する処理工程において、適宜第２属性情報を参照することが可能となる。
【００５２】
この態様によれば特に、情報再生装置は、下層としてのＶＯＢＵ等の第２メニュー用実体情報のうちのコンテンツ情報（例えば、映像情報、音声情報、副映像情報など）の参照に先んじて、上層としての第２実体情報内のＶＴＳＭ２＿ＰＧＣＩ＿ＳＲＰ等の管理情報を参照することによって、そのフラグ情報に従って第２メニュー用実体情報の圧縮符号化方式を判別することができる。但し、この態様は、例えば同一ＰＧＣ内での複数のＶＯＢＵの圧縮符号化方式の混在を許可しない場合に有効である。即ち、例えば同一ＰＧＣ内で複数の属性情報を許可する場合には、適用外となる。
【００５３】
本発明の情報記録媒体に係る第１又は第２実施形態の他の態様では、前記第２実体情報は、当該第２実体情報全体に関する第２全体論理情報を有しており、前記第２属性情報は、前記第２全体論理情報内に含まれる、前記第２メニュー用実体情報を構成する複数のセルに関する一又は複数のセル情報内に記録されるｎビット（但し、ｎは１以上の自然数）のフラグ情報からなる。
【００５４】
この態様によれば、第２属性情報は、例えば後述のＶＴＳ２Ｉである第２全体論理情報内に含まれる、第２メニュー用実体情報を構成する情報単位たる複数のセルに関する情報を含んでなるセル情報（例えば後述のＶＴＳＭ２＿ＣＰＩ（ＶＴＳＭ２＿ＣＰＩ＃１、…、ＶＴＳＭ２＿ＣＰＩ＃ｘ））内に、所定ビット数のフラグ情報として記録される。
【００５５】
これにより、第２メニュー用実体情報を用いて、第２メニューを表示出力する処理工程において、適宜第２属性情報を参照することが可能となる。
【００５６】
この態様によれば特に、情報再生装置は、下層としてのＶＯＢＵ等の第２メニュー用実体情報のうちのコンテンツ情報の参照に先んじて、上層としての第２実体情報内のＶＴＳＭ２＿ＣＰＩ等のセル情報を参照することによって、そのフラグ情報に従って第２メニュー用実体情報の圧縮符号化方式を判別することができる。
【００５７】
本発明の情報記録媒体に係る第３実施形態は、第１圧縮符号化方式により圧縮符号化されていると共に少なくとも映像を含むコンテンツの論理的なまとまりであるタイトルを夫々構成するための一又は複数の第１実体情報と、該第１実体情報を管理制御するための第１管理情報と、（ｉ）前記第１圧縮符号化方式と異なる第２圧縮符号化方式により圧縮符号化された一又は複数の単位情報からなる第１部分と（ｉｉ）前記第１圧縮符号化方式により圧縮符号化された一又は複数の単位情報からなる第２部分とが混在すると共に、前記コンテンツと同一又は異なるコンテンツの論理的なまとまりであるタイトルを夫々構成するための一又は複数の第２実体情報と、前記第１及び第２実体情報を管理制御するための第２管理情報と、前記第１又は第２圧縮符号化方式により圧縮符号化されており、前記第１及び第２実体情報に関連する第１メニューを構成するための第１メニュー用実体情報と、前記第１メニュー用実体情報を圧縮符号化した前記第１又は第２圧縮符号化方式を示す第１属性情報と前記第１及び第２部分別に、前記第２実体情報を圧縮符号化した前記第１又は第２圧縮符号化方式を示す第３属性情報とが記録されている。
【００５８】
本発明の情報記録媒体に係る第３実施形態の再生時にメニュー表示を行う際には、本発明の情報記録媒体に係る第１或いは第２実施形態と同様に第１属性情報に基づいて、第１メニュー用実体情報を適宜再生可能である。
【００５９】
本実施形態では特に、第２実体情報は、例えばＭＰＥＧ４の如き第２圧縮符号化方式により圧縮された第１部分と、例えばＭＰＥＧ１又は２の如き第１圧縮符号化方式により圧縮符号化された第２部分とを含んで記録されている。そして、第１又は第２部分の夫々を圧縮符号化した圧縮符号化方式を示す第３属性情報が記録されている。このため、当該第２実体情報に含まれているコンテンツの再生時には、第３属性情報を参照することで、第２圧縮符号化方式により圧縮符号化された第１部分のみを選択して、再生することが可能となる。他方、第１圧縮符号化方式により圧縮符号化された第２部分のみを選択して、再生することが可能となる。
【００６０】
ここで、第１部分或いは第２部分は、例えば後述のＶＯＢＵ単位或いは複数のＶＯＢＵからなるデータ群を、その単位情報としている。当該ＶＯＢＵ単位は、その単位において圧縮符号化方式を共通としている。このため、複数の単位情報を含んで構成される、例えば後述のＰＧＣ単位の如き再生処理単位ごとに第３属性情報を設定し、再生処理単位ごとに、第３属性情報に基づいて適宜再生出力するようにしてもよい。或いは、単位情報（即ち、例えば後述のＶＯＢＵ単位）ごとに、第３属性情報を設定し、単位情報ごとに、第３属性情報に基づいて適宜再生出力するようにしてもよい。
【００６１】
これにより、異なる圧縮符号化方式により圧縮符号化された一又は複数の単位情報を含んでなる実体情報であっても、第３属性情報に基づいて、圧縮符号化方式の同一な単位情報のみを選択して、例えば所定のタイトル等を適切に再生出力することが可能となる。更に、第２実体情報の再生時に用いる圧縮符号化方式を、例えばＶＯＢＵ単位やＰＧＣ単位で、第３属性情報に従って適宜選択しながら、或いは適宜切替えながら再生することも可能となる。
【００６２】
本発明の情報記録媒体に係る第３実施形態の他の態様では、前記第２実体情報は、当該第２実体情報全体に関する第２全体論理情報を有しており、前記第３属性情報は、前記第２全体論理情報内に含まれる、前記第２実体情報を構成する複数のセルを組み合わせた論理的区分であるプログラムチェインを規定するプログラムチェイン情報にアクセスするための管理情報内に記録されるｎビット（但し、ｎは１以上の自然数）のフラグ情報からなる。
【００６３】
この態様によれば、第３属性情報は、例えば後述のＶＴＳ２Ｉである第２全体論理情報内に含まれる、第２実体情報を構成する情報単位たる複数のセルの論理的区分を示すプログラムチェイン情報にアクセスするための管理情報（例えば後述のＶＴＳ２＿ＰＧＣＩ＿ＳＲＰ（ＶＴＳ２＿ＰＧＣＩ＿ＳＲＰ＃１、…、ＶＴＳ２＿ＰＧＣＩ＿ＳＲＰ＃ｗ））内に、所定ビット数のフラグ情報として記録される。
【００６４】
これにより、第２実体情報を用いて、所定のタイトル等を再生出力する処理工程において、第３属性情報を参照することが可能となる。
【００６５】
この態様によれば特に、情報再生装置は、下層としてのＶＯＢＵ等の第２実体情報のうちのコンテンツ情報の参照に先んじて、上層としての第２実体情報内のＶＴＳ２＿ＰＧＣＩ＿ＳＲＰ等の管理情報を参照することによって、そのフラグ情報に従って第２実体情報の圧縮符号化方式を判別することができる。
【００６６】
但し、この態様は、例えば同一ＰＧＣ内での複数のＶＯＢＵの圧縮符号化方式の混在を許可しない場合に有効である。即ち、例えば同一ＰＧＣ内で複数の属性情報を許可する場合には、適用外となる。
【００６７】
本発明の情報記録媒体に係る第３実施形態の他の態様では、前記第２実体情報は、当該第２実体情報全体に関する第２全体論理情報を有しており、前記第３属性情報は、前記第２全体論理情報内に含まれる、前記第２実体情報を構成する複数のセルに関する一又は複数のセル情報内に記録されるｎビット（但し、ｎは１以上の自然数）のフラグ情報からなる。
【００６８】
この態様によれば、第３属性情報は、例えば後述のＶＴＳ２Ｉである第２全体論理情報内に含まれる、第２実体情報を構成する情報単位たる複数のセルに関する情報を含んでなるセル情報（例えば後述のＶＴＳ２＿ＣＰＩ（ＶＴＳ２＿ＣＰＩ＃１、…、ＶＴＳ２＿ＣＰＩ＃ｙ））内に、所定ビット数のフラグ情報として記録される。
【００６９】
これにより、第２実体情報を用いて、例えば所定のタイトルを再生出力する処理工程において、適宜第３属性情報を参照することが可能となる。
【００７０】
この態様によれば特に、情報再生装置は、下層としてのＶＯＢＵ等の第２実体情報のうちのコンテンツ情報の参照に先んじて、上層としての第２実体情報内のＶＴＳ２＿ＣＰＩ等のセル情報を参照することによって、そのフラグ情報に従って第２実体情報の圧縮符号化方式を判別することができる。
【００７１】
本発明の情報記録媒体に係る第３実施形態の他の態様では、前記第２管理情報は、当該第２管理情報全体に関する第１全体論理情報を有しており、前記第３属性情報は、前記第１全体論理情報内に含まれる、前記第２管理情報が管理する前記タイトルの各々にアクセスするための管理情報テーブル内に記録されるｎビット（但し、ｎは１以上の自然数）のフラグ情報からなる。
【００７２】
この態様によれば、第３属性情報は、例えば後述のＶＭＧ２Ｉである第１全体論理情報内に含まれる、第２管理情報が管理する所定のタイトルの各々にアクセスするための管理情報テーブル（例えば後述のＴＴ＿ＳＲＰＴ２）内に、所定ビット数のフラグ情報として記録される。
【００７３】
これにより、所定のタイトルを再生出力する処理工程において、適宜第３属性情報を参照することが可能となる。
【００７４】
この態様によれば特に、情報再生装置は、下層としてのＶＯＢＵ等の第２実体情報の参照に先んじて、上層としての第２管理情報内のＴＴ＿ＳＲＰＴ２等の管理情報テーブルを参照することによって、そのフラグ情報に従って第２実体情報の圧縮符号化方式を判別することができる。
【００７５】
尚、第２管理情報内のＴＴ＿ＳＲＰＴ２等の管理情報を、例えばリードインエリア等に記録しておき、情報再生装置は、これを全て又はまとめて、第２実体情報の再生前に再生し、且つその内蔵メモリ等に再生終了まで保持しておくとよい。これにより、その後の、第２実体情報の再生時に、内蔵メモリ上の管理情報テーブルを即時に参照可能となる。
【００７６】
但し、この態様は、例えば同一ＰＧＣ内での複数のＶＯＢＵの圧縮符号化方式の混在を許可しない場合に有効である。即ち、例えば同一ＰＧＣ内で複数の属性情報を許可する場合には、適用外となる。
【００７７】
本発明の情報記録媒体に係る第１、第２及び第３実施形態のうちいずれか一つの他の態様では、前記第１、第２及び第３属性情報のうち少なくとも一つは、対応する前記第１メニュー用実体情報、第２メニュー用実体情報及び第２実体情報の記録領域内に記録されるｎビット（但し、ｎは１以上の自然数）のフラグ情報からなる。
【００７８】
この態様によれば、１ビット或いは複数ビットのフラグ情報により、第１、第２及び第３属性情報のうち少なくとも一つを、対応する例えば後述のＶＭＧＭ２＿ＶＯＢである第１メニュー用実体情報、ＶＴＳＭ２＿ＶＯＢである第２メニュー用実体情報或いは例えば後述のＶＴＳ２＿ＶＯＢ（ＶＴＳ２＃１、…、ＶＴＳ２＃ｍ）である第２実体情報内に記録することが可能となる。例えば、既存のＭＰＥＧ１又は２若しくはＭＰＥＧ４であれば、実体情報中に１ビットや少数ビットの空き領域は確実に存在するので、本態様の如きフラグ情報を書き込むのには好都合である。即ち、既存のフォーマットやデータ構造に変更或いは拡張を加えることを要せずに、フラグ情報を書き込むことが可能となり、これにより上述した本発明固有の各種利益を得ることが可能となる。この結果、例えばＤＶＤプレーヤ等の情報再生装置は、例えばメニュー或いはタイトルの再生時には、当該空き領域に記録されたフラグ情報を読取ることで、適宜デコーダを切り替えることが可能となる。従って、適切なメニュー表示出力或いはタイトル再生が可能となる。
【００７９】
尚、第１、第２及び第３属性情報のうち少なくとも一つは、例えば後述のＶＭＧである第１管理情報、或いは例えば後述のＶＭＧ２である第２管理情報の記録領域内に存在する空き領域に記録される所定ビット数のフラグ情報であってもよい。
【００８０】
上述した他の態様における、前記第１メニュー用実体情報、第２メニュー用実体情報又は第２実体情報は、物理的にアクセス可能な情報単位にパック化されると共に、該パック化された情報単位を再生制御するためのナビゲーション情報がパック化されてなるナビパックを有し、前記第１、第２及び第３属性情報のうち少なくとも一つは、前記ナビパック内に配置されたデータサーチ用の制御情報内に記録されるｎビット（但し、ｎは１以上の自然数）のフラグ情報からなる。
【００８１】
この態様では、例えば後述のＶＭＧＭ２＿ＶＯＢである第１メニュー用実体情報、ＶＴＳＭ２＿ＶＯＢである第２メニュー用実体情報、或いは例えば後述のＶＴＳ２＿ＶＯＢ（ＶＴＳ２＃１、…、ＶＴＳ２＃ｍ）である第２実体情報は、例えばＤＶＤプレーヤ等の情報再生装置が物理的にアクセス可能な情報単位にパック化された情報単位（例えば後述のビデオパック、オーディオパック或いはサブピクチャパック等）を含んでなる。更に該パック化された情報単位を再生制御するためのナビパック（例えば後述のＮＶ＿ＰＣＫ）を含んでなる。ナビパックは、再生したいビデオパック等を検索するためのデータサーチ用の制御情報（例えば後述のＤＳＩ）を含んでいる。そして、第１、第２及び第３属性情報のうち少なくとも一つは、該制御情報内に存在する空き領域に、例えば、後述のＶＯＢＵ＿ＡＤＰ＿ＩＤ内に、所定ビット数のフラグ情報として記録される。
【００８２】
このため、タイトル再生或いはメニュー表示出力の際に、例えばＤＶＤプレーヤ等の情報再生装置は、第１、第２メニュー用実体情報、或いは第２実体情報の再生出力前に、ナビパックにアクセスすることによって、第１、第２或いは第３属性情報を参照することが可能となる。従って、タイトル再生或いはメニュー表示の際に、例えばデコーダ等を適宜切り替えることが可能となる。従って、適切にメニュー表示出力或いはタイトル再生が可能となる。
【００８３】
以上のように本態様によれば、例えば、ＰＣ（パーソナルコンピュータ）環境に応じて直接ＶＯＢＵを読みに行く場合や、時間サーチやチャプタサーチ、早送り、巻き戻し、条件分岐等の特殊再生の場合など、実体情報に直接アクセスが行われる場合であっても、再生しようとする実体情報に係る管理情報を参照することなしに、当該再生しようとする実体情報に係る属性情報を得ることができる。例えばＤＳＩは、ＶＯＢＵに一つ含まれるので、再生時に、データ識別子として利用可能である。そして、ＤＳＩ等の制御情報内に書き込まれたフラグ情報は、再生しようとする第１又第２実体情報にそのまま対応付けられているので、これを用いての圧縮符号化方式の判定をリアルタイム的に実行可能となる。
【００８４】
（情報再生装置の実施形態）
本発明の情報再生装置に係る第１実施形態は、第１実体情報、第１管理情報、第２実体情報、第２管理情報、第１メニュー用実体情報及び第１属性情報を含んでなる情報記録媒体を再生する情報再生装置であって、前記情報記録媒体から情報を読取る読取手段と、該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する判定手段と、該判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する復号化手段とを備える。
【００８５】
本発明の情報再生装置に係る第１実施形態によれば、先ず、例えば光ピックアップ等を含んでなる読取手段によって、情報記録媒体から情報が読取られる。続いて、この読取られた情報のうち、所定の領域に記録されている第１属性情報に基づいて、例えばＣＰＵ等を含んでなる判定手段によって、第１メニュー用実体情報（例えば後述のＶＭＧＭ２＿ＶＯＢＳ）の圧縮符号化方式が判定される。具体的には、第１メニュー用実体情報が、例えばＭＰＥＧ１又は２の如き第１圧縮符号化方式により圧縮符号化されているか、又は例えばＭＰＥＧ４の如き第２圧縮符号化方式により圧縮符号化されているかが判定される。そして、この判定手段により、第１圧縮符号化方式により圧縮符号化されていると判定された場合には、例えばＣＰＵ或いはデコーダを含んでなる復号化手段により、第１圧縮符号化方式に準拠して第１メニュー用実体情報がデコードされ、例えばＤＶＤ等のディスク全体に関するディスクメニューを構成する第１メニューが再生出力される。他方で、判定手段により、第２圧縮符号化方式により圧縮符号化されていると判定された場合には、第２圧縮符号化方式に準拠して第１メニュー用実体情報がデコードされ、第１メニューが再生出力される。
【００８６】
以上の結果、本発明の情報再生装置に係る第１実施形態によれば、例えばＭＰＥＧ４並びにＭＰＥＧ１又は２対応のコンパチブルＤＶＤプレーヤとして構築され、上述した情報記録媒体の第１又は第２実施形態を効率よく再生できる。特に、既に作成された第１メニュー用実体情報として、例えばＭＰＥＧ１又は２の如き第１圧縮符号化方式により作成された第１メニュー用実体情報が存在すれば、これを転用して、適切に第１メニューを表示することが可能となる。そして、メニュー再生用のデコーダ等と、タイトル再生用のデコーダ等とを適宜に切り替えつつ、ユーザ等にデコーダの切替等を意識させることなく、例えばディスク全体に関するメニューを再生でき、これに対応するタイトルを再生できる。
【００８７】
尚、上述した本発明の情報記録媒体に係る第１又は第２実施形態における各種態様に対応して、本発明の情報再生装置に係る第１実施形態も各種態様を採ることが可能である。
【００８８】
本発明の情報再生装置に係る第２実施形態は、第１実体情報、第１管理情報、第１部分及び第２部分を含んでなる第２実体情報、第２管理情報、第１メニュー用実体情報、第１属性情報並びに第３属性情報を含んでなる情報記録媒体を再生する情報再生装置であって、前記情報記録媒体から情報を読取る読取手段と、該読取られた情報のうち前記第１属性情報に基づいて、前記第１メニュー用実体情報が前記第１圧縮符号化方式により圧縮符号化されているか又は前記第２圧縮符号化方式により圧縮符号化されているかを判定する第１判定手段と、前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定手段と、（ｉ）前記第１判定手段により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化し、（ｉｉ）前記第２判定手段により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する復号化手段とを備える。
【００８９】
本発明の情報再生装置に係る第２実施形態によれば、その動作時には、情報再生装置の第１実施形態と同様に、第１メニュー用実体情報を用いて、第１メニューを適宜再生出力可能である。
【００９０】
本実施形態では特に、第２実体情報を再生出力する際に、第３属性情報を読み取り、その第３属性情報に示される圧縮符号化方式が同一な部分ごとに第２実体情報を再生出力することが可能である。具体的には、第３属性情報が第１圧縮符号化方式により圧縮符号化されていることを示す部分、即ち第１部分のみを選択して再生出力可能である。他方、第３属性情報により、第２圧縮符号化方式により圧縮符号化されていることが示される部分、即ち第２部分のみを選択して再生出力可能である。
【００９１】
これにより、例えばＭＰＥＧ４の如き第２圧縮符号化方式に準拠して作成された単位情報と、例えばＭＰＥＧ１又は２の如き第１圧縮符号化方式に準拠して作成された単位情報とを混在して含む第２実体情報を、第３属性情報に基づいて適切に再生可能となる。
【００９２】
尚、上述した本発明の情報記録媒体に係る第３実施形態における各種態様に対応して、本発明の情報再生装置に係る第２実施形態も各種態様を採ることが可能である。
【００９３】
本発明の情報再生装置に係る第１又は第２実施形態の他の態様では、前記復号化手段は、前記第１圧縮符号化方式に対応する第１デコーダ及び前記第２圧縮符号化方式に対応する第２デコーダを含むデコーダ手段を含む。
【００９４】
この態様によれば、例えばＣＰＵ等からなる制御手段の制御下で、デコーダ手段では、判定手段による判定結果に応じて第１デコーダにより第１或いは第２メニュー用実体情報をデコードするか、又は第２デコーダにより第１或いは第２メニュー用実体情報をデコードするかが、切り替えられる。そして、第１圧縮符号化方式により圧縮符号化されている第１或いは第２メニュー用実体情報を再生する場合には、例えばＭＰＥＧ２又は１に準拠した第１デコーダによって、第１圧縮符号化方式に対応する復号化処理が実行される。他方、第２圧縮符号化方式により圧縮符号化されている第１或いは第２メニュー用実体情報を再生する場合には、例えばＭＰＥＧ４に準拠した第２デコーダによって、第２圧縮符号化方式に対応する復号化処理が実行される。或いは、第１部分及び第２部分を含んでなる第２実体情報を再生する場合には、デコーダ手段が適宜切り替えられることにより適切な複合化処理が可能となる。即ち、第２圧縮符号化方式に対応した第１部分を再生する場合には第２デコーダによって、第１圧縮符号化方式に対応した第２部分を再生する場合には第１デコーダによって、所定の圧縮符号化方式に対応する復号化処理が適切に行われる。
【００９５】
これにより、例えばＤＶＤコンパチブルプレーヤ等である情報再生装置を実現可能となり、第１圧縮符号化方式及び第２圧縮符号化方式の双方に準拠したメニューの再生或いはタイトルの再生が可能となる。
【００９６】
（情報再生方法の実施形態）
本発明の情報再生方法に係る第１実施形態は、第１実体情報、第１管理情報、第２実体情報、第２管理情報、第１メニュー用実体情報及び第１属性情報を含んでなる情報記録媒体を再生する情報再生方法であって、前記情報記録媒体から情報を読取る読取工程と、該読取工程により読取られた情報に基づいて、前記第１メニュー用実体情報が前記第１圧縮符号化方式により圧縮符号化されているか又は前記第２圧縮符号化方式により圧縮符号化されているかを判定する判定工程と、該判定工程により、前記第１メニュー用実体情報が前記第１圧縮符号化方式により圧縮符号化されていると判定された場合には、前記第１圧縮符号化方式により前記第１メニュー用実体情報を復号化し、前記判定工程により前記第１メニュー用実体情報が前記第２圧縮符号化方式により圧縮符号化されていると判定された場合には、前記第２圧縮符号化方式により前記第１メニュー用実体情報を復号化する復号化工程とを備える。
【００９７】
本発明の情報再生方法に係る第１実施形態によれば、上述した情報再生装置の第１実施形態の場合と同様に、上述した情報記録媒体の第１又は第２実施形態を、比較的効率良く再生可能である。
【００９８】
尚、上述した情報記録媒体の第１又は第２実施形態における各種態様に対応して、本発明の情報再生方法に係る第１実施形態も各種態様を採ることが可能である。
【００９９】
本発明の情報再生方法に係る第２実施形態は、第１実体情報、第１管理情報、第１部分及び第２部分を含んでなる第２実体情報、第２管理情報、第１メニュー用実体情報、第１属性情報並びに第３属性情報を含んでなる情報記録媒体を再生する情報再生方法であって、前記情報記録媒体から情報を読取る読取工程と、該読取工程により読取られた情報に基づいて、前記第１メニュー用実体情報が前記第１圧縮符号化方式により圧縮符号化されているか又は前記第２圧縮符号化方式により圧縮符号化されているかを判定する第１判定工程と、該第１判定工程により、前記第１メニュー用実体情報が前記第１圧縮符号化方式により圧縮符号化されていると判定された場合には、前記第１圧縮符号化方式により前記第１メニュー用実体情報を復号化し、前記第１メニュー用実体情報が前記第２圧縮符号化方式により圧縮符号化されていると判定された場合には、前記第２圧縮符号化方式により前記第１メニュー用実体情報を復号化する第１復号化工程と、前記読取られた情報のうち前記第３属性情報に基づいて、前記第２実体情報が前記第２圧縮符号化方式により圧縮符号化されている第１部分か又は前記第１圧縮符号化方式により圧縮符号化されている第２部分であるかを判定する第２判定工程と、該第２判定工程により、前記第２実体情報が前記第２圧縮符号化方式により圧縮符号化されている第１部分であると判定された場合には、当該第１部分を第２圧縮符号化方式により復号化し、前記第２実体情報が前記第１圧縮符号化方式により圧縮符号化されている第２部分であると判定された場合には、当該第２部分を第２圧縮符号化方式により復号化する第２復号化工程とを備える。
【０１００】
本発明の情報再生方法に係る第２実施形態によれば、上述した本発明の情報再生装置に係る第２実施形態の場合と同様に、上述した本発明に係る情報記録媒体の第３実施形態の一態様を、比較的効率よく再生可能である。
【０１０１】
尚、上述した情報記録媒体の第３実施形態における各種態様に対応して、本発明の情報再生方法に係る第２実施形態も各種態様を採ることが可能である。
【０１０２】
（コンピュータプログラムの実施形態）
本発明に係るコンピュータプログラムの実施形態は、コンピュータを上述した情報再生装置の第１又は第２実施形態として機能させる。より具体的には、コンピュータを上述した情報再生装置の第１実施形態における読取手段、判定手段、再生出力手段の少なくとも一部として機能させる。或いは、コンピュータを上述した情報再生装置の第２実施形態における読取手段、判定手段及び再生出力手段の少なくとも一部として機能させる。
【０１０３】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る情報再生装置の第１又は第２実施形態を比較的簡単に実現できる。
【０１０４】
尚、上述した本発明に係る情報記録媒体の第１、第２及び第３実施形態のいずれか一つにおける各種態様に対応して、本発明に係るコンピュータプログラムの実施形態も各種態様を採ることが可能である。
【０１０５】
本発明のこのような作用及び他の利得は次に説明する実施の形態から明らかにされる。
【０１０６】
以上説明したように、本発明の情報記録媒体に係る第１又は第２実施形態によれば、第１及び第２実体情報、第１及び第２管理情報、第１メニュー用実体情報並びに第１属性情報が記録されているので、既存の、例えばＭＰＥＧ２又は１に準拠して作成された第１メニュー用実体情報を転用して、メニュー画面を表示出力可能となる。本発明に係る情報記録媒体の第３実施形態によれば、第１及び第２実体情報、第１及び第２管理情報、第１メニュー用実体情報、第１属性情報並びに第３属性情報が記録されているので、例えばＭＰＥＧ４に準拠した単位情報と、例えばＭＰＥＧ１又は２に準拠して作成された単位情報とを混在して含む第２実体情報を適切に再生可能となる。本発明の情報再生装置に係る第１実施形態によれば、読取手段、判定手段及び復号化手段を備えるので、上述した本発明の情報記録媒体に係る第１又は第２実施形態を効率良く再生できる。本発明の情報再生装置に係る第２実施形態によれば、読取手段、第１判定手段、第２判定手段及び復号化手段を備えるので、上述した本発明の情報記録媒体に係る第３実施形態の一態様を効率良く再生できる。本発明の情報再生方法に係る第１実施形態によれば、読取工程、判定工程及び復号化工程を備えるので上述した本発明の情報記録媒体に係る第１又は第２実施形態を効率良く再生できる。本発明の情報再生方法に係る第２実施形態によれば、読取工程、第１判定工程、第１復号化工程、第２判定工程及び第２復号化工程を備えるので、上述した本発明の情報記録媒体に係る第３実施形態の一態様を効率良く再生できる。また、本発明のコンピュータプログラムに係る実施形態によれば、コンピュータを上述した本発明の情報再生装置に係る第１又は第２実施形態として機能させるので、上述した本発明の情報記録媒体に係る第１、第２又は第３実施形態を効率良く再生できる。
【０１０７】
【実施例】
以下、本発明の実施例を図面に基づいて説明する。
【０１０８】
（情報記録媒体）
図１から図１３を参照して、本発明の情報記録媒体の実施例について説明する。本実施例は、本発明に係る情報記録媒体を、赤色レーザで再生可能な型の光ディスクに適用したものである。
【０１０９】
先ず図１を参照して、本実施例の光ディスクの基本構造について説明する。ここに図１は、上側に複数のエリアを有する光ディスクの構造を概略平面図で示すと共に、下側にその径方向におけるエリア構造を概念図で対応付けて示すものである。
【０１１０】
図１に示すように、光ディスク１００は、例えば、再生専用とされており、或いは、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データエリア１０６及びリードアウトエリア１０８が設けられている。そして、各エリアには、例えば、センターホール１０２を中心にスパイラル状或いは同心円状に、再生専用ディスクであればピット列からなる再生トラックが設けられ、記録可能ディスクであればグルーブトラック及びランドトラックが交互に設けられている。このグルーブトラックはウオブリングされてもよいし、これらのうち一方又は両方のトラックにプレピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。
【０１１１】
次に図２から図１２を参照して、光ディスク１００上に記録されるデータの構造について説明する。ここに、図２は、光ディスク１００上に記録されるデータ構造を模式的に示すものである。図３は、図２に示したＶＭＧ２（Ｖｉｄｅｏ  Ｍａｎａｇｅｒ  ２）内におけるデータ構造の詳細を模式的に示すものである。図４は、図３に示したＶＭＧＭ２＿ＰＧＣＩ＿ＵＴ（Ｖｉｄｅｏ  Ｍａｎａｇｅｒ  Ｍｅｎｕ  ２  Ｐｒｏｇｒａｍ  Ｃｈａｉｎ  Ｉｎｆｏｒｍａｔｉｏｎ  Ｕｎｉｔ  Ｔａｂｌｅ）内におけるデータ構造の詳細を模式的に示すものである。図５は、図３に示したＶＭＧＭ２＿Ｃ＿ＡＤＴ（Ｖｉｄｅｏ  Ｍａｎａｇｅｒ  Ｍｅｎｕ  ２  Ｃｅｌｌ  Ａｄｄｒｅｓｓ  Ｔａｂｌｅ）内におけるデータ構造の詳細を模式的に示したものである。図６は、図３に示したＴＴ＿ＳＲＰＴ２（Ｔｉｔｌｅ  Ｓｅａｒｃｈ  Ｐｏｉｎｔｅｒ  Ｔａｂｌｅ  ２）内におけるデータ構造の詳細を模式的に示したものである。図７は、図２に示したＶＴＳ２（Ｖｉｄｅｏ  Ｔｉｔｌｅ  Ｓｅｔ  ２）内におけるデータ構造の詳細を模式的に示すものである。図８は、図７に示したＶＴＳＭ２＿ＰＣＧＩ＿ＵＴ（Ｖｉｄｅｏ  Ｔｉｔｌｅ  Ｓｅｔ  Ｍｅｎｕ  ２  ＰＧＣＩ  Ｕｎｉｔ  Ｔａｂｌｅ）内におけるデータ構造の詳細を模式的に示したものである。図９は、図７に示したＶＴＳ２＿ＰＧＣＩＴ（Ｖｉｄｅｏ  Ｔｉｔｌｅ  Ｓｅｔ  Ｐｒｏｇｒａｍ  Ｃｈａｉｎ  Ｉｎｆｏｒｍａｔｉｏｎ  Ｔａｂｌｅ）内におけるデータ構造の詳細を模式的に示したものである。図１０は、図７に示すＶＴＳＭ２＿Ｃ＿ＡＤＴ（Ｖｉｄｅｏ  Ｔｉｔｌｅ  Ｓｅｔ  Ｍｅｎｕ  ２Ｃｅｌｌ  Ａｄｄｒｅｓｓ  Ｔａｂｌｅ）内におけるデータ構造の詳細を模式的に示すものである。図１１は、図７に示すＶＴＳ２＿Ｃ＿ＡＤＴ（Ｖｉｄｅｏ  Ｔｉｔｌｅ  Ｓｅｔ  ２  Ｃｅｌｌ  Ａｄｄｒｅｓｓ  Ｔａｂｌｅ）内におけるデータ構造の詳細を模式的に示すものである。図１２は、ＶＯＢ（Ｖｉｄｅｏ  Ｏｂｊｅｃｔ）内におけるデータ構造の詳細を模式的に示すものである。
【０１１２】
図２において、光ディスク１００は、論理的構造として、図中上段に示すように、ファイルシステム（Ｆｉｌｅ  Ｓｙｓｔｅｍ）１０１、“ＶＭＧ（Ｖｉｄｅｏ  Ｍａｎａｇｅｒ）”１１０、複数のＶＴＳ（Ｖｉｄｅｏ  Ｔｉｔｌｅ  Ｓｅｔ）１１１（即ち、ＶＴＳ＃１、ＶＴＳ＃２、…、ＶＴＳ＃ｎ）、及びその他の領域（ＤＶＤ  ｏｔｈｅｒ  ｚｏｎｅ）１１２を備える。
【０１１３】
ファイルシステム１０１は、光ディスク１００上に記録される各種ファイルの物理的な記録領域を管理するための情報（例えば、データ、データリスト、データファイル又はデータテーブル）からなる。“ＶＭＧ”１１０は、本発明に係る“第１管理情報”の一例であり、各ＶＴＳ＃ｉ（ｉ＝１、２、…、ｎ）１１１を管理制御するための情報（例えば、データ、データリスト、データファイル又はデータテーブル）である。各ＶＴＳ＃ｉ１１１は、本発明に係る“第１実体情報”の一例であり、ＭＰＥＧ１又は２によって圧縮符号化されている情報（例えば、データ、データリスト、データファイル又はデータテーブル）である。
【０１１４】
尚、本実施例において、ＶＴＳ＃ｉ１１１とは、例えば、関連する（即ち、それに含まれる音声情報及び副映像情報の数や、仕様、対応言語等の属性が同じ）タイトルを一まとめにしたセット（まとまり）である。
【０１１５】
本実施例では、これら“ＶＭＧ”１１０及びＶＴＳ＃ｉ１１１によって、従来のＤＶＤのＶｅｒ１．Ｘ（バージョン１．Ｘ）と同様のデータ構造を有する第１ビデオゾーンが、光ディスク１００上に構築されている。そして、この第１ビデオゾーン内に、例えばＳＤ（スタンダードデフィニション）規格のコンテンツ情報が、ＶＴＳ＃ｉ１１１として記録されており、これが“ＶＭＧ”１１０によって管理制御される。
【０１１６】
図２中下段に示すように、光ディスク１００は更に、その他の領域（ＤＶＤ  ｏｔｈｅｒ  ｚｏｎｅ）１１２内に、“ＶＭＧ２”１２０、複数の“ＶＴＳ２”１２１（即ち、ＶＴＳ２＃１、ＶＴＳ２＃２、…、ＶＴＳ２＃ｍ）、及びその他の領域（ＤＶＤ  ｏｔｈｅｒ  ｚｏｎｅ）１２２を備える。
【０１１７】
“ＶＭＧ２”１２０は、本発明に係る“第２管理情報”の一例であり、各ＶＴＳ２＃ｊ（ｊ＝１、２、…、ｍ）１２１を管理制御するための情報（例えば、データ、データリスト、データファイル又はデータテーブル）である。各ＶＴＳ２＃ｊ１２１は、本発明に係る“第２実体情報”の一例であり、第１ビデオゾーンと異なる圧縮符号化方式であるＭＰＥＧ４によって圧縮符号化されている情報（例えば、データ、データリスト、データファイル又はデータテーブル）である。
【０１１８】
尚、本実施例において、ＶＴＳ２＃ｊ１２１とは、例えば、関連する（即ち、それに含まれる音声情報及び副映像情報の数や、仕様、対応言語等の属性が同じ）タイトルを一まとめにしたセット（まとまり）である。
【０１１９】
本実施例では、これら“ＶＭＧ２”１２０及びＶＴＳ２＃ｊ１２１によって、従来のＤＶＤとは異なる、Ｖｅｒ２．０（バージョン２．０）のデータ構造を有する第２ビデオゾーンが、光ディスク１００上に構築されている。そして、この第２ビデオゾーン内に、前述の第１ビデオゾーンとは異なるＨＤ（ハイデフィニション）規格或いはハイビジョンのコンテンツ情報や、前述の第１ビデオゾーンと同様のＳＤ規格のコンテンツ情報が、“ＶＴＳ２＃ｊ”１２１として記録されており、これが“ＶＭＧ２”１２０によって管理制御される。
【０１２０】
本実施例では、“ＶＭＧ２”１２０は、第２実体情報の一例としてのＶＴＳ２＃ｊ１２１だけでなく、第１実体情報の一例としてのＶＴＳ＃ｉ１１１をも管理制御するように構成されている。即ち、光ディスク１００の再生時には、例えばＶＴＳ２＃ｊ１２１を再生可能なＶｅｒ２．０対応の（例えば、ＭＰＥＧ４対応の）ＤＶＤプレーヤであれば、“ＶＭＧ”１１０を参照する必要なしに、“ＶＭＧ２”１２０を参照することによって、ＶＴＳ２＃ｊ１２１だけでなく、ＶＴＳ＃ｉ１１１をも適切に再生することが可能となる。
【０１２１】
具体的には、“ＶＭＧ２”１２０内に、“ＶＴＳ２”１２１を管理する情報に加えて、“ＶＴＳ”１１１を管理する情報も合わせて有している。“ＶＭＧ２”１２０を参照することで、“ＶＭＧ”１１０を参照することなく、“ＶＴＳ”１１１の管理制御が可能となる。
【０１２２】
更に、光ディスク１００の再生時には、例えばＶＴＳ２＃ｊ１２１を再生不可能であり且つＶＴＳ＃ｉ１１１を再生可能なＶｅｒ１．Ｘ対応の（例えば、ＭＰＥＧ２対応の）ＤＶＤプレーヤであれば、ＶＴＳ２＃ｊ１２１や“ＶＭＧ２”１２０を無視して、“ＶＭＧ”１１０を参照することによって、ＶＴＳ＃ｉ１１１を従来通りに適切に再生することが可能となる。
【０１２３】
本実施形態では特に、以下に説明するように、“ＶＭＧ２”１２０内に含まれるＶＭＧＭ２＿ＶＯＢＳ（Ｖｉｄｅｏ  Ｏｂｊｅｃｔ  Ｓｅｔ  ｆｏｒ  Ｖｉｄｅｏ  Ｍａｎａｇｅｒ  Ｍｅｎｕ  ２）に、“ＶＭＧ”１１０内に含まれるＶＭＧＭ＿ＶＯＢＳ（Ｖｉｄｅｏ  Ｏｂｊｅｃｔ  Ｓｅｔ  ｆｏｒ  Ｖｉｄｅｏ  Ｍａｎａｇｅｒ  Ｍｅｎｕ  ）の情報を転用することが可能である。即ち、新しくＭＰＥＧ４に準拠したタイトルとして“ＶＴＳ２”１２１を作成したい場合に、新たにＭＰＥＧ４に準拠したＶＭＧＭ２＿ＶＯＢＳを作成することなく、既存のＶＭＧＭ＿ＶＯＢＳを転用して、例えば後述の如くディスクメニュー情報として用いることが可能となる。
【０１２４】
又、各“ＶＴＳ２”１２１内に含まれるＶＴＳＭ２＿ＶＯＢ（Ｖｉｄｅｏ  Ｏｂｊｅｃｔ  ｆｏｒ  Ｖｉｄｅｏ  Ｔｉｔｌｅ  Ｓｅｔ  Ｍｅｎｕ  ２）についても同様に、“ＶＴＳ”１１１内に含まれるＶＴＳＭ＿ＶＯＢ（Ｖｉｄｅｏ  Ｏｂｊｅｃｔ  ｆｏｒ  Ｖｉｄｅｏ  Ｔｉｔｌｅ  Ｓｅｔ  Ｍｅｎｕ  ）の情報を転用することが可能である。即ち、新しくＭＰＥＧ４に準拠したタイトルとして“ＶＴＳ２”１２１を作成したい場合に、新たにＭＰＥＧ４に準拠したＶＴＳＭ２＿ＶＯＢを作成することなく、既存のＶＴＳＭ＿ＶＯＢを転用して、例えば後述の如く各タイトルごとのメニュー情報として用いることが可能となる、尚、ＶＭＧＭ２＿ＶＯＢＳ、ＶＭＧＭ＿ＶＯＢＳ、ＶＴＳＭ２＿ＶＯＢ及びＶＴＳＭ＿ＶＯＢについては後述する。
【０１２５】
図３中、中部に示すように、図２に示した“ＶＭＧ２”１２０は、ＶＭＧ２Ｉ（Ｖｉｄｅｏ  Ｍａｎａｇｅｒ  ２）、ＶＭＧＭ２＿ＶＯＢＳ（Ｖｉｄｅｏ  Ｏｂｊｅｃｔ  Ｓｅｔ  ｆｏｒ  Ｖｉｄｅｏ  Ｍａｎａｇｅｒ  Ｍｅｎｕ  ２）及びＶＭＧ２Ｉ＿ＢＵＰ（Ｂａｃｋｕｐ  ｏｆ  Ｖｉｄｅｏ  Ｍａｎａｇｅｒ  ２  Ｉｎｆｏｒｍａｔｉｏｎ）を含んでなる。
【０１２６】
ここに、「ＶＭＧ２Ｉ」は、“ＶＭＧ２”１２０の全体に関する各種論理情報（例えば、データ、データリスト、データファイル又はデータテーブル）である。「ＶＭＧＭ２＿ＶＯＢＳ」は、例えばディスクメニューなど、当該“ＶＭＧ２”１２０で管理制御されるＶＴＳ２＃ｊ１２１（図２参照）の全体に関するメニュー画面を表示するためのビデオ情報等を含むオブジェクト情報或いは実体情報（例えば、データ、データリスト、データファイル又はデータテーブル）である。即ち、本実施例は、第２管理情報の一例たる“ＶＭＧ２”によっても、光ディスク１００の全体についてのディスクメニュー或いは全体メニューを再生制御可能となるように構成されている。「ＶＭＧ２Ｉ＿ＢＵＰ」は、ＶＭＧ２Ｉの重要性に鑑みて記録される、ＶＭＧ２Ｉのバックアップ情報（例えば、データ、データリスト、データファイル又はデータテーブル）である。このＶＭＧ２Ｉ＿ＢＵＰによって、ＶＭＧ２Ｉが破壊された場合であっても、ＶＴＳ２＃ｊ１２１の再生に支障を来たすことを未然防止できる。
【０１２７】
本実施形態では特に、後述の如く所定記録領域における空き領域にフラグ情報として記録される「第１属性情報」は、例えば本実施例に係るＶＭＧＭ２＿ＶＯＢＳの圧縮符号化方式を示している。
【０１２８】
尚、“ＶＭＧ”１１０についても、上述の如き“ＶＭＧ２”１２０の場合と同様に、ＶＭＧＩ、ＶＭＧＭ＿ＶＯＢＳ及びＶＭＧＩ＿ＢＵＰを含んでなる（但し、図示せず）。
【０１２９】
図３中、右部に示すように、「ＶＭＧ２Ｉ」は、ＶＭＧ２Ｉ＿ＭＡＴ（Ｖｉｄｅｏ  Ｍａｎａｇｅｒ  ２  Ｉｎｆｏｒｍａｔｉｏｎ  Ｍａｎａｇｅｍｅｎｔ  Ｔａｂｌｅ）、ＶＭＧＭ２＿ＰＧＣＩ＿ＵＴ（Ｖｉｄｅｏ  Ｍａｎａｇｅｒ  Ｍｅｎｕ  ２  Ｐｒｏｇｒａｍ  Ｃｈａｉｎ  Ｉｎｆｏｒｍａｔｉｏｎ  Ｕｎｉｔ  Ｔａｂｌｅ）１２３、ＶＭＧＭ２＿Ｃ＿ＡＤＴ（Ｖｉｄｅｏ  Ｍａｎａｇｅｒ  Ｍｅｎｕ  ２  Ｃｅｌｌ  Ａｄｄｒｅｓｓ  Ｔａｂｌｅ）１２４、ＴＴ＿ＳＲＰＴ２（Ｔｉｔｌｅ  Ｓｅａｒｃｈ  Ｐｏｉｎｔｅｒ  Ｔａｂｌｅ  ２）１２５及びその他の情報を有する。
【０１３０】
「ＶＭＧ２Ｉ＿ＭＡＴ」は、当該“ＶＭＧ２”１２０に関する各種論理情報のテーブルからなる。
【０１３１】
図４に示すように、図３に示した“ＶＭＧＭ２＿ＰＧＣＩ＿ＵＴ”１２３は、各言語により記載された、例えばＶＭＧＭ２＿ＶＯＢＳ（図３参照）を構成する複数のセルを組み合わせた論理的区分であるプログラムチェイン（ＰＧＣ：Ｐｒｏｇｒａｍ  Ｃｈａｉｎ）を規定するＰＧＣＩ（Ｐｒｏｇｒａｍ  Ｃｈａｉｎ  Ｉｎｆｏｒｍａｔｉｏｎ）に関する情報を示すテーブルである。具体的には、“ＶＭＧＭ２＿ＰＧＣＩ＿ＵＴ”１２３に関する各種論理情報を示すＶＭＧＭ２＿ＰＧＣＩ＿ＵＴＩ（Ｖｉｄｅｏ  Ｍａｎａｇｅｒ  Ｍｅｎｕ  ２Ｐｒｏｇｒａｍ  Ｃｈａｉｎ  Ｉｎｆｏｒｍａｔｉｏｎ  Ｕｎｉｔ  Ｔａｂｌｅ  Ｉｎｆｏｒｍａｔｉｏｎ）と、各言語ごとにグループ化されたＶＭＧＭ２＿ＰＧＣＩ（Ｖｉｄｅｏ  Ｍａｎａｇｅｒ  Ｍｅｎｕ  ２  Ｐｒｏｇｒａｍ  Ｃｈａｉｎ  Ｉｎｆｏｒｍａｔｉｏｎ）の単位情報を示すＶＭＧＭ２＿ＬＵ（Ｖｉｄｅｏ  Ｍａｎａｇｅｒ  Ｍｅｎｕ  ２  Ｌａｎｇｕａｇｅ  Ｕｎｉｔ）＃１、…、ＶＭＧＭ２＿ＬＵ＃ｐとを含んでなる。尚、セル及びＰＧＣＩについては後述する（図１２及び１３参照）。
【０１３２】
ＶＭＧＭ２＿ＬＵ＃ｌ（ｌ＝１、…、ｐ）は、図４に示すように、ＶＭＧＭ２＿ＬＵ＃ｌに関する各種論理情報を示すＶＭＧＭ２＿ＬＵＩ（Ｖｉｄｅｏ  Ｍａｎａｇｅｒ  Ｍｅｎｕ  ２  Ｌａｎｇｕａｇｅ  Ｕｎｉｔ  Ｉｎｆｏｒｍａｔｉｏｎ）と、ＶＭＧＭ２＿ＰＧＣＩにアクセスするための管理情報を示すＶＭＧＭ２＿ＰＧＣＩ＿ＳＲＰ（ＶＭＧＭ＿ＰＧＣＩ  Ｓｅａｒｃｈ  Ｐｏｉｎｔｅｒ）＃１、…、ＶＭＧＭ２＿ＰＧＣＩ＿ＳＲＰ＃ｑとを含んでなる。
【０１３３】
ＶＭＧＭ２＿ＰＧＣＩ＿ＳＲＰ＃ｌ（ｌ＝１、…、ｑ）は、図４に示すように、指し示すＶＭＧＭ２＿ＰＧＣの種別を示すＶＭＧＭ２＿ＰＧＣ＿ＣＡＴ（ＶＭＧＭ２  ＰＧＣ  Ｃａｔｅｇｏｒｙ）と、その他の領域とを含んでなる。
【０１３４】
ＶＭＧＭ２＿ＰＧＣ＿ＣＡＴは、図４に示すように、本発明に係る「第１属性情報」が記録される空き領域の一例たる“ＶＯＢ＿ＶＥＲＮ＿ＦＬＧ”（Ｖｉｄｅｏ  Ｏｂｊｅｃｔ  Ｖｅｒｓｉｏｎ  Ｆｌａｇ）３０１と、その他の領域とを含んでなる。
【０１３５】
“ＶＯＢ＿ＶＥＲＮ＿ＦＬＧ“３０１には、例えば１ビットの領域が割り当てられている。この領域にフラグ情報として、例えば“０ｂ”が記録されていれば、本発明にかかる「第１メニュー用実体情報」の例たるＶＭＧＭ２＿ＶＯＢＳの内、当該ＰＧＣに従い再生されるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。尚、“０ｂ”及び“１ｂ”における符号“ｂ”は、“０”又は“１”がバイナリ（２値）データであることを示す。
【０１３６】
図５に示すように、図３に示した“ＶＭＧＭ２＿Ｃ＿ＡＤＴ”１２４は、ＶＭＧＭ２＿ＶＯＢＳを構成する複数のセル或いはインターリーブドユニットの開始アドレス或いは終了アドレスを含んだテーブルを有している。ここに、インターリーブドユニットとは、例えば、視点の異なる映像の再生（即ち、所謂“アングル再生”）をシームレスに可能とならしめるために、各アングルに対応する複数の映像情報を入れ子構造で格納したデータの単位をいう。
【０１３７】
具体的には、“ＶＭＧＭ２＿Ｃ＿ＡＤＴ”１２４に関する各種論理情報を示すＶＭＧＭ２＿Ｃ＿ＡＤＴＩ（Ｖｉｄｅｏ  Ｍａｎａｇｅｒ  Ｍｅｎｕ  ２  Ｃｅｌｌ  Ａｄｄｒｅｓｓ  Ｔａｂｌｅ  Ｉｎｆｏｒｍａｔｉｏｎ）と、ＶＭＧＭ２＿ＶＯＢＳを構成する複数のセルの夫々の情報を示すＶＭＧＭ２＿ＣＰＩ（Ｖｉｄｅｏ  Ｍａｎａｇｅｒ  Ｍｅｎｕ  ２  Ｃｅｌｌ  Ｐｉｅｃｅ  Ｉｎｆｏｒｍａｔｉｏｎ）＃１、…、ＶＭＧＭ２＿ＣＰＩ＃ｒとを含んでなる。尚、セルについては後述する（図１２及び図１３参照）
ＶＭＧＭ２＿ＣＰＩ＃ｌ（ｌ＝１、…、ｒ）は、図５に示すように、当該ＶＭＧＭ２＿ＣＰＩ＃ｌの示すセルが構成するＶＭＧＭ２＿ＶＯＢＳの識別番号を示すＶＭＧＭ２＿ＶＯＢ＿ＩＤＮ（ＶＯＢ  ＩＤ  ｎｕｍｂｅｒ  ｆｏｒ  ｔｈｅ  ＶＭＧＭ  ２  Ｃｅｌｌ  Ｐｉｅｃｅ）と、当該ＶＭＧＭ２＿ＣＰＩ＃ｌの示すセルが構成するＶＭＧＭ２＿ＶＯＢＳのバージョン情報を記載するＶＭＧＭ２＿ＶＯＢ＿ＶＥＲ（ＶＭＧＭ２  Ｖｉｄｅｏ  Ｏｂｊｅｃｔ  Ｖｅｒｓｉｏｎ）とを含んでなる。
【０１３８】
ＶＭＧＭ２＿ＶＯＢ＿ＶＥＲは、図５に示すように、本発明に係る「第１属性情報」が記録される空き領域の他の例たる“ＶＯＢ＿ＶＥＲＮ＿ＦＬＧ（Ｖｉｄｅｏ  Ｏｂｊｅｃｔ  Ｖｅｒｓｉｏｎ  Ｆｌａｇ）“３０２と、その他の領域とを含んでなる。
【０１３９】
“ＶＯＢ＿ＶＥＲＮ＿ＦＬＧ”３０２には、例えば１ビットの領域が割り当てられている。この領域にフラグ情報として、例えば“０ｂ”が記録されていれば、本発明にかかる「第１メニュー用実体情報」の例たるＶＭＧＭ２＿ＶＯＢＳの内、当該セルに含まれるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１４０】
図６に示すように、図３に示した“ＴＴ＿ＳＲＰＴ２”１２５は、当該“ＶＭＧ２”１２０が管理する各タイトルにアクセスするための管理情報テーブルである。“ＴＴ＿ＳＲＰＴ２”１２５は、当該“ＴＴ＿ＳＲＰＴ２”１２５に関する各種論理情報であるＴＴ＿ＳＲＰＴ２Ｉ（Ｔｉｔｌｅ  Ｓｅａｒｃｈ  Ｐｏｉｎｔｅｒ  Ｔａｂｌｅ  ２  Ｉｎｆｏｒｍａｔｉｏｎ）と、タイトル毎に設けられた管理情報であるＴＴ＿ＳＲＰ２（Ｔｉｔｌｅ  Ｓｅａｒｃｈ  Ｐｏｉｎｔｅｒ  ２）＃１、…、ＴＴ＿ＳＲＰ２＃ｓとを含んでなる。
【０１４１】
ＴＴ＿ＳＲＰ２＃ｌ（ｌ＝１、…、ｓ）は、例えば分岐型であるなど当該タイトルの型を示す情報であるＴＴ＿ＰＢ＿ＴＹ２（Ｔｉｔｌｅ  Ｐｌａｙｂａｃｋ  Ｔｙｐｅ  ２）と、その他の領域とを含んでなる。
【０１４２】
ＴＴ＿ＰＢ＿ＴＹ２は、図６に示すように、本発明に係る「第３属性情報」が記録される空き領域の他の例たる“ＶＯＢ＿ＶＥＲＮ＿ＦＬＧ”３０３と、その他の領域とを含んでなる。
【０１４３】
“ＶＯＢ＿ＶＥＲＮ＿ＦＬＧ”３０２には、例えば１ビットの領域が割り当てられている。この領域にフラグ情報として、例えば“０ｂ”が記録されていれば、本発明にかかる「第２実体情報」の例たるＶＴＳ２＿ＶＯＢの内、当該タイトルに関係するビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１４４】
次に図７に示すように、“ＶＴＳ２＃ｌ（ｌ＝１、…、ｍ）“１２１は、ＶＴＳ２Ｉ（Ｖｉｄｅｏ  Ｔｉｔｌｅ  Ｓｅｔ  Ｉｎｆｏｒｍａｔｉｏｎ）と、ＶＴＳＭ２＿ＶＯＢ（Ｖｉｄｅｏ  Ｏｂｊｅｃｔ  Ｓｅｔ  ｆｏｒ  Ｖｉｄｅｏ  Ｔｉｔｌｅ  Ｓｅｔ  Ｍｅｎｕ  ２）と、ＶＴＳ２＿ＶＯＢ（Ｖｉｄｅｏ  Ｏｂｊｅｃｔ  Ｓｅｔｆｏｒ  Ｖｉｄｅｏ  Ｔｉｔｌｅ  Ｓｅｔ  ２）１２６と、ＶＴＳ２ＩのバックアップファイルであるＶＴＳ２Ｉ＿ＢＵＰ（Ｂａｃｋｕｐ  ｏｆ  Ｖｉｄｅｏ  Ｔｉｔｌｅ  Ｓｅｔ  ２  Ｉｎｆｏｒｍａｔｉｏｎ）とを含んでなる。
【０１４５】
「ＶＴＳ２Ｉ」は、ＶＴＳ２Ｉ＿ＭＡＴ（Ｖｉｄｅｏ  Ｔｉｔｌｅ  Ｓｅｔ  ２  Ｉｎｆｏｒｍａｔｉｏｎ  Ｍａｎａｇｅｍｅｎｔ  Ｔａｂｌｅ）、ＶＴＳＭ２＿ＰＧＣＩ＿ＵＴ（Ｖｉｄｅｏ  Ｔｉｔｌｅ  Ｓｅｔ  Ｍｅｎｕ  ２  Ｐｒｏｇｒａｍ  Ｃｈａｉｎ  Ｉｎｆｏｒｍａｔｉｏｎ  Ｕｎｉｔ  Ｔａｂｌｅ）１２７、ＶＴＳ２＿ＰＧＣＩＴ（Ｖｉｄｅｏ  Ｔｉｔｌｅ  Ｓｅｔ  ２  Ｐｒｏｇｒａｍ  Ｃｈａｉｎ  Ｉｎｆｏｒｍａｔｉｏｎ  Ｔａｂｌｅ）１２８、ＶＴＳＭ２＿Ｃ＿ＡＤＴ（Ｖｉｄｅｏ  Ｔｉｔｌｅ  Ｓｅｔ  Ｍｅｎｕ  ２  Ｃｅｌｌ  Ａｄｄｒｅｓｓ  Ｔａｂｌｅ）１２９、ＶＴＳ２＿Ｃ＿ＡＤＴ（Ｖｉｄｅｏ  Ｔｉｔｌｅ  Ｓｅｔ  ２  Ｃｅｌｌ  Ａｄｄｒｅｓｓ  Ｔａｂｌｅ）１３０、その他の情報及びＶＴＳ２内情報を含んでなる。
【０１４６】
このようなＶＴＳ２Ｉには、ＶＴＳ内情報或いはその他の情報として、例えばＶＴＳＩの場合と同じく、複数のセルを組合わせた論理的区分であるプログラムチェインに関する種々の情報であるＰＧＣＩ等の情報が記録される。そして、各ＶＴＳ２＿ＶＯＢ１２６には、例えば、各種の制御情報の他に、映像情報及び音声情報の実体部分が記録される。セル及びＰＧＣＩについては、後述する（図１２及び図１３参照）。
【０１４７】
「ＶＴＳＭ２＿ＶＯＢ」は、例えばタイトルメニューなど、当該“ＶＴＳ２＃ｌ（ｌ＝１、…、ｍ）”１２１ごとのメニュー画面を表示するためのビデオ情報等を含むオブジェクト情報或いは実体情報（例えば、データ、データリスト、データファイル又はデータテーブル）である。
【０１４８】
本実施形態では特に、後述の如く所定記録領域における空き領域に記録される「第２属性情報」は、例えば本実施例に係るＶＴＳＭ２＿ＶＯＢＳの圧縮符号化方式を示している。
【０１４９】
「ＶＴＳ２Ｉ＿ＢＵＰ」は、ＶＴＳ２Ｉの重要性に鑑みて記録される、ＶＴＳ２Ｉのバックアップ情報（例えば、データ、データリスト、データファイル又はデータテーブル）である。このＶＴＳ２Ｉ＿ＢＵＰによって、ＶＴＳ２Ｉが破壊された場合であっても、ＶＴＳ２＃ｌ（ｌ＝１、…、ｍ）１２１の再生に支障を来たすことを未然防止できる。
【０１５０】
尚、“ＶＴＳ”１１１についても、上述の“ＶＴＳ２”１２１の場合と同様に、ＶＴＳＩ、ＶＴＳＭ＿ＶＯＢＳ及びＶＴＳ２Ｉ＿ＢＵＰを含んでなる（但し、図示せず）。
【０１５１】
図８に示すように、図７に示した“ＶＴＳＭ２＿ＰＧＣＩ＿ＵＴ”１２７は、各言語により記載された、例えばＶＴＳＭ２＿ＶＯＢ（図７参照）を構成する複数のセルを組み合わせた論理的区分であるプログラムチェインを規定するＰＧＣＩに関する情報を示すテーブルである。具体的には、“ＶＴＳＭ２＿ＰＧＣＩ＿ＵＴ”１２３に関する各種論理情報を示すＶＴＳＭ２＿ＰＧＣＩ＿ＵＴＩ（Ｖｉｄｅｏ  Ｔｉｔｌｅ  Ｓｅｔ  Ｍｅｎｕ  ２  Ｐｒｏｇｒａｍ  Ｃｈａｉｎ  Ｉｎｆｏｒｍａｔｉｏｎ  Ｕｎｉｔ  Ｔａｂｌｅ  Ｉｎｆｏｒｍａｔｉｏｎ）と、各言語ごとにグループ化されたＶＴＳＭ２＿ＰＧＣＩの単位情報を示すＶＴＳＭ２＿ＬＵ（Ｖｉｄｅｏ  Ｔｉｔｌｅ  Ｓｅｔ  Ｍｅｎｕ  ２  Ｌａｎｇｕａｇｅ  Ｕｎｉｔ）＃１、…、ＶＴＳＭ２＿ＬＵ＃ｔとを含んでなる。尚、セル及びＰＧＣＩについては後述する（図１２及び図１３参照）。
【０１５２】
ＶＴＳＭ２＿ＬＵ＃ｌ（ｌ＝１、…、ｔ）は、図８に示すように、ＶＴＳＭ２＿ＬＵ＃ｌに関する各種論理情報を示すＶＴＳＭ２＿ＬＵＩ（Ｖｉｄｅｏ  Ｔｉｔｌｅ  Ｓｅｔ  Ｍｅｎｕ  ２  Ｌａｎｇｕａｇｅ  Ｕｎｉｔ  Ｉｎｆｏｒｍａｔｉｏｎ）と、ＶＴＳＭ２＿ＰＧＣＩ（Ｖｉｄｅｏ  Ｔｉｔｌｅ  Ｓｅｔ  Ｍｅｎｕ  ２  Ｐｒｏｇｒａｍ  Ｃｈａｉｎ  Ｉｎｆｏｒｍａｔｉｏｎ）にアクセスするための管理情報を示すＶＴＳＭ２＿ＰＧＣＩ＿ＳＲＰ（Ｖｉｄｅｏ  Ｔｉｔｌｅ  Ｓｅｔ  Ｍｅｎｕ  ２  Ｐｒｏｇｒａｍ  Ｃｈａｉｎ  Ｉｎｆｏｒｍａｔｉｏｎ  Ｓｅａｒｃｈ  Ｐｏｉｎｔｅｒ）＃１、…、ＶＴＳＭ２＿ＰＧＣＩ＿ＳＲＰ＃ｕとを含んでなる。
【０１５３】
ＶＴＳＭ２＿ＰＧＣＩ＿ＳＲＰ＃ｌ（ｌ＝１、…、ｕ）は、図８に示すように、ＶＴＳＭ２＿ＰＧＣの種別を示すＶＴＳＭ２＿ＰＧＣ＿ＣＡＴ（Ｖｉｄｅｏ  Ｔｉｔｌｅ  Ｓｅｔ  Ｍｅｎｕ  ２  Ｐｒｏｇｒａｍ  Ｃｈａｉｎ  Ｃａｔｅｇｏｒｙ）と、その他の領域とを含んでなる。
【０１５４】
ＶＴＳＭ２＿ＰＧＣ＿ＣＡＴは、図８に示すように、本発明に係る「第２属性情報」が記録される空き領域の他の例たる“ＶＯＢ＿ＶＥＲＮ＿ＦＬＧ”（Ｖｉｄｅｏ  Ｏｂｊｅｃｔ  Ｖｅｒｓｉｏｎ  Ｆｌａｇ）３０４と、その他の領域とを含んでなる。
【０１５５】
“ＶＯＢ＿ＶＥＲＮ＿ＦＬＧ”３０４には、例えば１ビットの領域が割り当てられている。この領域にフラグ情報として、例えば“０ｂ”が記録されていれば、本発明にかかる「第２メニュー用実体情報」の例たるＶＴＳＭ２＿ＶＯＢの内、当該ＰＧＣに従い再生されるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１５６】
図９に示すように、図７に示した“ＶＴＳ２＿ＰＧＣＩＴ”１２８は、各種言語により記載された、例えばＶＴＳ２＿ＶＯＢ（図７参照）を構成する複数のセルを組み合わせた論理的区分であるプログラムチェインを規定するＰＧＣＩに関する情報を示すテーブルである。具体的には、“ＶＴＳ２＿ＰＧＣＩＴ”１２８に関する各種論理情報を示すＶＴＳ２＿ＰＧＣＩＴＩ（Ｖｉｄｅｏ  Ｔｉｔｌｅ  Ｓｅｔ  Ｐｒｏｇｒａｍ  Ｃｈａｉｎ  Ｉｎｆｏｒｍａｔｉｏｎ  Ｔａｂｌｅ  Ｉｎｆｏｒｍａｔｉｏｎ）と、ＶＴＳ２＿ＰＧＣＩ（Ｖｉｄｅｏ  Ｔｉｔｌｅ  Ｓｅｔ  ２  Ｐｒｏｇｒａｍ  Ｃｈａｉｎ  Ｉｎｆｏｒｍａｔｉｏｎ）にアクセスするための管理情報を示すＶＴＳ２＿ＰＧＣＩ＿ＳＲＰ（Ｖｉｄｅｏ  Ｔｉｔｌｅ  Ｓｅｔ  ２  Ｐｒｏｇｒａｍ  Ｃｈａｉｎ  Ｉｎｆｏｒｍａｔｉｏｎ  Ｓｅａｒｃｈ  Ｐｏｉｎｔｅｒ）＃１、…、ＶＴＳ２＿ＰＧＣＩ＿ＳＲＰ＃ｗとを含んでなる。
【０１５７】
ＶＴＳ２＿ＰＧＣＩ＿ＳＲＰ＃ｌ（ｌ＝１、…、ｗ）は、図９に示すように、ＶＴＳ２＿ＰＧＣの種別を示すＶＴＳ２＿ＰＧＣ＿ＣＡＴ（Ｖｉｄｅｏ  Ｔｉｔｌｅ  Ｓｅｔ  ２  Ｐｒｏｇｒａｍ  Ｃｈａｉｎ  Ｃａｔｅｇｏｒｙ）と、その他の領域とを含んでなる。
【０１５８】
ＶＴＳ２＿ＰＧＣ＿ＣＡＴは、図９に示すように、本発明に係る「第３属性情報」が記録される空き領域の他の例たる“ＶＯＢ＿ＶＥＲＮ＿ＦＬＧ”（Ｖｉｄｅｏ  Ｏｂｊｅｃｔ  Ｖｅｒｓｉｏｎ  Ｆｌａｇ：ＶＯＢバージョンフラグ）３０５と、その他の領域とを含んでなる。
【０１５９】
“ＶＯＢ＿ＶＥＲＮ＿ＦＬＧ”３０５には、例えば１ビットの領域が割り当てられている。この領域にフラグ情報として、例えば“０ｂ”が記録されていれば、本発明にかかる「第２実体情報」の例たるＶＴＳ２＿ＶＯＢの内、当該ＰＧＣに従い再生されるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１６０】
図１０に示すように、図７に示した“ＶＴＳＭ２＿Ｃ＿ＡＤＴ”１２９は、ＶＴＳＭ２＿ＶＯＢを構成する複数のセル或いはインターリーブドユニットの開始アドレス或いは終了アドレスを含んだテーブルを有している。具体的には、“ＶＴＳＭ２＿Ｃ＿ＡＤＴ”１２９に関する各種論理情報を示すＶＴＳＭ２＿Ｃ＿ＡＤＴＩ（Ｖｉｄｅｏ  Ｔｉｔｌｅ  Ｓｅｔ  Ｍｅｎｕ  ２  Ｃｅｌｌ  Ａｄｄｒｅｓｓ  Ｔａｂｌｅ  Ｉｎｆｏｒｍａｔｉｏｎ）と、ＶＴＳＭ２＿ＶＯＢを構成する複数のセルの夫々の情報を示すＶＴＳＭ２＿ＣＰＩ（Ｖｉｄｅｏ  Ｔｉｔｌｅ  Ｓｅｔ  Ｍｅｎｕ  ２  Ｃｅｌｌ  Ｐｉｅｃｅ  Ｉｎｆｏｒｍａｔｉｏｎ）＃１、…、ＶＴＳＭ２＿ＣＰＩ＃ｘとを含んでなる。尚、セルについては後述する（図１２及び図１３参照）。
【０１６１】
ＶＴＳＭ２＿ＣＰＩ＃ｌ（ｌ＝１、…、ｘ）は、図１０に示すように、ＶＴＳＭ２＿ＶＯＢＳの識別番号を示すＶＴＳＭ２＿ＶＯＢ＿ＩＤＮと、当該ＶＴＳＭ２＿ＣＰＩ＃ｌが示すセルが構成するＶＴＳＭ２＿ＶＯＢＳのバージョン情報を記載するＶＴＳＭ２＿ＶＯＢ＿ＶＥＲ（Ｖｉｄｅｏ  Ｔｉｔｌｅ  Ｓｅｔ  Ｍｅｎｕ  ２  Ｖｉｄｅｏ  Ｏｂｊｅｃｔ  Ｖｅｒｓｉｏｎ）とを含んでなる。
【０１６２】
ＶＴＳＭ２＿ＶＯＢ＿ＶＥＲは、図１０に示すように、本発明に係る「第２属性情報」が記録される空き領域の一例たる“ＶＯＢ＿ＶＥＲＮ＿ＦＬＧ”（Ｖｉｄｅｏ  Ｏｂｊｅｃｔ  Ｖｅｒｓｉｏｎ  Ｆｌａｇ）３０６と、その他の領域とを含んでなる。
【０１６３】
“ＶＯＢ＿ＶＥＲＮ＿ＦＬＧ”３０６には、例えば１ビットの領域が割り当てられている。この領域にフラグ情報として、例えば“０ｂ”が記録されていれば、例えば本発明にかかる「第２メニュー用実体情報」の例たるＶＴＳＭ２＿ＶＯＢの内、当該セルに含まれるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１６４】
図１１に示すように、図７に示した“ＶＴＳ２＿Ｃ＿ＡＤＴ”１３０は、ＶＴＳ２＿ＶＯＢを構成する複数のセル（セルについては後述する）或いはインターリーブドユニットの開始アドレス或いは終了アドレスを含んだテーブルを有している。具体的には、“ＶＴＳ２＿Ｃ＿ＡＤＴ”１３０に関する各種論理情報を示すＶＴＳ２＿Ｃ＿ＡＤＴＩと、ＶＴＳ２＿ＶＯＢを構成する複数のセルの夫々の情報を示すＶＴＳ２＿ＣＰＩ（Ｖｉｄｅｏ  Ｔｉｔｌｅ  Ｓｅｔ  ２  Ｃｅｌｌ  Ｐｉｅｃｅ  Ｉｎｆｏｒｍａｔｉｏｎ）＃１、…、ＶＴＳＭ２＿ＣＰＩ＃ｙとを含んでなる。
【０１６５】
ＶＴＳ２＿ＣＰＩ＃ｌ（ｌ＝１、…、ｙ）は、図１１に示すように、ＶＴＳ２＿ＶＯＢの識別番号を示すＶＴＳ２＿ＶＯＢ＿ＩＤＮ（ＶＯＢ  ＩＤ  ｎｕｍｂｅｒ  ｆｏｒ  ｔｈｅ  Ｖｉｄｅｏ  Ｔｉｔｌｅ  Ｓｅｔ  ２  Ｃｅｌｌ  Ｐｉｅｃｅ）と、当該ＶＴＳ２＿ＣＰＩ＃ｌが示すセルが構成するＶＴＳ２＿ＶＯＢＳのバージョン情報を記載するＶＴＳ２＿ＶＯＢ＿ＶＥＲ（Ｖｉｄｅｏ  Ｔｉｔｌｅ  Ｓｅｔ  ２  Ｖｉｄｅｏ  Ｏｂｊｅｃｔ  Ｖｅｒｓｉｏｎ）とを含んでなる。
【０１６６】
ＶＴＳ２＿ＶＯＢ＿ＶＥＲは、図１１に示すように、本発明に係る「第３属性情報」が記録される空き領域の一例たる“ＶＯＢ＿ＶＥＲＮ＿ＦＬＧ”（Ｖｉｄｅｏ  Ｏｂｊｅｃｔ  Ｖｅｒｓｉｏｎ  Ｆｌａｇ）３０７と、その他の領域とを含んでなる。
【０１６７】
“ＶＯＢ＿ＶＥＲＮ＿ＦＬＧ”３０７には、例えば１ビットの領域が割り当てられている。この領域にフラグ情報として、例えば“０ｂ”が記録されていれば、本発明にかかる「第２実体情報」の例たるＶＴＳ２＿ＶＯＢの内、当該セルに含まれるビデオデータは、Ｖｅｒ１．ｘのデータ構造にて、即ち、ＭＰＥＧ１又は２に準拠して圧縮符号化されていることを示す。或いは、例えば“１ｂ”が記録されていれば、かかるビデオデータは、Ｖｅｒ２．０のデータ構造、即ち、ＭＰＥＧ４に準拠して圧縮符号化されていることを示す。
【０１６８】
続いて、図１２に示すように、各種実体情報、即ち、ＶＭＧＭ２＿ＶＯＢＳ（図３参照）、ＶＴＳＭ２＿ＶＯＢ（図７参照）或いは“ＶＴＳ２＿ＶＯＢ”１２６（図７参照）のデータ構造について、“セル”の概念と共に説明する。
【０１６９】
図１２に示すように、各ＶＯＢは、上述したＶＭＧＭ２＿ＶＯＢ＿ＩＤＮ（図５参照）、ＶＴＳＭ２＿ＶＯＢ＿ＩＤＮ（図１０参照）或いはＶＴＳ２＿ＶＯＢ＿ＩＤＮ（図１１参照）の如き識別番号（ＶＯＢＩＤ＃１、＃２、…）を有する。
【０１７０】
各ＶＯＢは、夫々にＩＤ番号（即ち、セル固有のＩＤ番号）を有する複数のセル２０により構成されている。尚、セル２０は、光ディスク１００の物理フォーマットとして、一つの処理単位を構成している。一つのセル２０は、夫々にＩＤ番号（即ち、ＶＯＢ固有のＩＤ番号）を有する複数のＶＯＢユニット（ＶＯＢＵ）により構成されている。ここで、「ＶＯＢＵ（Ｖｉｄｅｏ  Ｏｂｊｅｃｔ  Ｕｎｉｔ）」とは、映像情報、音声情報及び副映像情報（映画における字幕等の副映像の情報をいう。）のいずれか又は後に詳述するＮＶ＿ＰＣＫ（Ｎａｖｉ  Ｐａｃｋ）４１のみにより構成される、情報再生装置によってアクセス可能な、一つの情報単位である。
【０１７１】
一つのＶＯＢＵは、該ＶＯＢＵに含まれる映像情報等を制御対象とする制御情報が格納されているＮＶ＿ＰＣＫ４１を含んで構成されている。一つのＶＯＢＵは、実体情報中におけるパック化されたコンテンツ情報を格納してもよく、具体的には、映像情報としてのビデオデータを含むビデオパック４２ｐと、音声情報としてのオーディオデータを含むオーディオパック４３ｐと、副映像情報としてのサブピクチャデータを含むサブピクチャパック４４ｐとのうち少なくとも一つを含む。但し、前述のように、ＮＶ＿ＰＣＫ４１のみを含んでもよい。各パックの先頭に記録されるパックヘッダには、夫々のパックに含まれているデータを後述の再生装置におけるトラックバッファから読み出して夫々のバッファへの入力を開始すべき再生時間軸上の読み出し開始時刻を示すＳＣＲ（Ｓｙｓｔｅｍ  Ｃｌｏｃｋ  Ｒｅｆｅｒｅｎｃｅ）と呼ばれる読み出し開始時刻情報や、パックの開始であることを示すスタートコード等が記録される。また、各パックのデータ長は、可変長でもよいし、固定長でもよい。
【０１７２】
ＮＶ＿ＰＣＫ４１は、再生表示させたい映像又は音声等を検索するための検索情報であるＤＳＩ（Ｄａｔａ  Ｓｅａｒｃｈ  Ｉｎｆｏｒｍａｔｉｏｎ）と、該ＤＳＩに基づいて検索された映像又は音声を再生表示する際の再生表示制御に関する情報であるＰＣＩ（Ｐｒｅｓｅｎｔａｔｉｏｎ  Ｃｏｎｔｒｏｌ  Ｉｎｆｏｒｍａｔｉｏｎ）とにより構成される。
【０１７３】
ＤＳＩは、該ＤＳＩに関する各種論理情報であるＤＳＩ＿ＧＩ（ＤＳＩ  Ｇｅｎｅｒａｌ  Ｉｎｆｏｒｍａｔｉｏｎ）と、その他の領域とを含んでなる。
【０１７４】
ＤＳＩ＿ＧＩは、ＮＶ＿ＰＣＫ＿ＳＣＲと、ＶＯＢＵ＿ＡＤＰ＿ＩＤ（Ｖｉｄｅｏ  Ｏｂｊｅｃｔ  Ｕｎｉｔ  Ａｄａｐｔａｔｉｏｎ  Ｉｄｅｎｔｉｆｉｅｒ）とその他の領域とを含んでなる。ＮＶ＿ＰＣＫ＿ＳＣＲは、該ＮＶ＿ＰＣＫ内に示されているＳＣＲ（Ｓｙｓｔｅｍ  Ｃｌｏｃｋ  Ｒｅｆｅｒｅｎｃｅ）の下位３２ビットを示している。即ち、ＳＣＲの基底ビット或いは開始ビットを示している。又、ＶＯＢＵ＿ＡＤＰ＿ＩＤは、所定の仕様（ビデオ仕様：ＶＩＤＥＯ  ＳＰＥＣＩＦＩＣＡＴＩＯＮ）が適用されるディスクのタイプを示している。
【０１７５】
ＶＯＢＵ＿ＡＤＰ＿ＩＤは、本発明に係る「第１、第２及び第３属性情報」のうち少なくとも一つが記録される空き領域の他の例たる“ＶＯＢ＿ＶＥＲＮ＿ＦＬＧ”３０８と、その他の領域とを含んでなる。
【０１７６】
“ＶＯＢ＿ＶＥＲＮ＿ＦＬＧ”３０８には、例えば１ビットの領域が割り当てられている。この領域にフラグ情報として、例えば“０ｂ”が記録されていれば、本発明にかかる「第１メニュー用実体情報、第２メニュー用実体情報、または第２実体情報」の例たる“ＶＯＢ＿ＶＥＲＮ＿ＦＬＧ”３０８が含まれているＶＯＢＵは、Ｖｅｒ１．ｘのデータ構造にて、即ち、ＭＰＥＧ１又は２に準拠して圧縮符号化されていることを示す。或いは、例えば“１ｂ”が記録されていれば、かかるＶＯＢＵは、Ｖｅｒ２．０のデータ構造、即ち、ＭＰＥＧ４に準拠して圧縮符号化されていることを示す。
【０１７７】
例えば、本発明に係る「第３属性情報」は、“ＶＯＢ＿ＶＥＲＮ＿ＦＬＧ”３０８にフラグ情報として記録されることにより、ＶＯＢＵ別に圧縮符号化方式を示す。これにより、第２実体情報の一例たるＶＴＳ２（図２参照）を構成するＶＯＢＵ（図１２参照）における圧縮符号化方式の混在を同一ＶＴＳ２内で許容しつつ、後述の如く（図１７参照）、ＶＴＳ２の再生を可能とする。
【０１７８】
但し、このような同一ＶＴＳ２内における圧縮符号化方式の混在を許容する第３属性情報としては、各ＶＯＢＵ内に直接記録しなくてもよい。例えば、ＶＯＢＵ別の圧縮符号化方式をテーブル形式で示す情報から、第３属性情報を構成してもよい。更に、第３属性情報が夫々圧縮符号化方式を示す情報単位についても、ＶＯＢＵに限らず、例えば、複数のＶＯＢＵからなるセル単位等の情報単位であってもよいし、或いは、ＶＯＢＵを更に細分化したパック単位等であってもよい。いずれの場合であっても、第３属性情報により圧縮符号化方式を示していれば、複数のコンテンツ情報における圧縮符号化方式の混在を許容しつつ、それらの再生を可能となる。
【０１７９】
尚、ディスクメニュー等のＶＭＧＭ２の圧縮符号化方式を示す第１属性情報や、タイトルメニュー等のＶＴＳＭ２の圧縮符号化方式を示す第２属性情報についても、このようにＶＯＢＵ内に記録することも可能である。
【０１８０】
以上図１から図１２に説明したように、ＶＯＢ＿ＶＥＲＮ＿ＦＬＧ３０１、３０２及びＶＭＧＭ２＿ＶＯＢＳ内のＶＯＢ＿ＶＥＲＮ＿ＦＬＧ３０８には、例えばディスクメニュー表示出力用のＶＭＧＭ２＿ＶＯＢＳの圧縮符号化方式を示すフラグ情報が記録される。従って、例えばＤＶＤプレーヤ等の情報再生装置が、当該フラグ情報にアクセスすることによって、ＶＭＧＭ２＿ＶＯＢＳが、新しくＭＰＥＧ４に準拠して作成された実体情報か、或いはＭＰＥＧ１又は２に準拠して構築されている既存のＶＭＧＭ＿ＶＯＢＳに含まれている実体情報であるかを判定することが可能となる。
【０１８１】
同様に、ＶＯＢ＿ＶＥＲＮ＿ＦＬＧ３０４、３０６及びＶＴＳＭ２＿ＶＯＢ内のＶＯＢ３０８には、例えばタイトルメニュー表示出力用のＶＴＳＭ２＿ＶＯＢの圧縮符号化方式を示すフラグ情報が記録される。従って、例えばＤＶＤプレーヤ等の情報再生装置が、当該フラグ情報にアクセスすることによって、ＶＴＳＭ２＿ＶＯＢが、新しくＭＰＥＧ４に準拠して作成された実体情報か、或いはＭＰＥＧ１又は２に準拠して構築されている既存のＶＴＳＭ＿ＶＯＢに含まれている実体情報であるかを判定することが可能となる。
【０１８２】
同様に、ＶＯＢ＿ＶＥＲＮ＿ＦＬＧ３０３、３０５、３０７及びＶＴＳ２＿ＶＯＢ内のＶＯＢ３０８により、例えば映像コンテンツ表示出力用のＭＰＥＧ１又は２に準拠して圧縮符号化された複数のＶＯＢＵと、ＭＰＥＧ４に準拠して圧縮符号化された複数のＶＯＢＵとを含んでなるＶＴＳ２＿ＶＯＢについても、当該フラグ情報を参照することで、同一の圧縮符号化方式に対応しているＶＯＢＵ単位で或いは後述のＰＧＣ単位での再生が可能となる。
【０１８３】
以上、圧縮符号化方式を示す複数のフラグ情報について説明したが、再生実行のためには、これら複数種類のフラグ情報のうち最低限一種類が記録されていればよく、他方で、圧縮符号化方式の識別を迅速に行えるように、これらのフラグ情報の複数種類或いは全種類が記録されていてもよい。
【０１８４】
例えば、ＶＯＢＵ＿ＡＤＰ＿ＩＤにＶＯＢ＿ＶＥＲＮ＿ＦＬＧ３０８を記録しておけば（図１２参照）、その再生時に、例えばＰＣ（パーソナルコンピュータ）環境などで直にＶＯＢＵを読みにくるようなアプリケーションなどの場合などのように、上層の“ＶＭＧ”１１０や“ＶＭＧ２”１２０（図２等参照）を参照せずに、直接ＶＯＢＵにアクセスされた場合であっても、当該フラグ情報を参照することで、圧縮符号化方式を識別可能となる。この際、ＮＶ＿ＰＣＫ４１中のＤＳＩはＶＯＢＵに一つ含まれるので、識別子として利用可能となる。
【０１８５】
また例えば、ＶＭＧＭ２＿ＣＰＩ（図５参照）、ＶＴＳＭ２＿ＣＰＩ（図１０参照）又はＶＴＳ２＿ＣＰＩ（図１１参照）に、ＶＯＢ＿ＶＥＲＮ＿ＦＬＧ３０２、３０６又は３０７を記録しておけば、その再生時に、ＶＯＢＵの上層たるＶＭＧＭ２或いはＶＴＳＭ２のみを読んで、下層のＶＯＢＵの圧縮符号化方式が識別可能となる。即ち、この場合には、一々ＶＯＢＵを直接読みに行くことなく、識別可能となる。特に、ＶＭＧＭ２＿ＣＰＩ（図５参照）にフラグ情報を記録する場合には、そのＶＯＢ＿ＩＤＮと対応付けた形で、圧縮符号化方式を識別可能となる。
【０１８６】
更に例えば、“ＴＴ＿ＳＲＰＴ２”１２５（図６参照）に、ＶＯＢ＿ＶＥＲＮ＿ＦＬＧ３０３を記録しておけば、その再生時に、各タイトルに対して付与された圧縮符号化方式を示すフラグ情報を参照することで、そのタイトルで使用されるＶＯＢＵの圧縮符号化方式が識別可能となる。同一タイトル内で、複数の圧縮符号化方式を混在させないという規約を設ければ、これらのフラグ情報は有効である。
【０１８７】
更に又例えば、ＶＭＧＭ２＿ＰＧＣＩ＿ＳＲＰ（図４参照）、ＶＴＳＭ２＿ＰＧＣＩ＿ＳＲＰ（図８参照）又はＶＴＳ２＿ＰＧＣＩ＿ＳＲＰ（図９参照）に、ＶＯＢ＿ＶＥＲＮ＿ＦＬＧ３０１、３０４又は３０５を記録しておけば、その再生時に、その再生時に、各ＰＧＣ（プログラムチェーン）に対して付与された圧縮符号化方式を示すフラグ情報を参照することで、そのＰＧＣで使用されるＶＯＢＵの圧縮符号化方式が識別可能となる。同一ＰＧＣ内で、複数の圧縮符号化方式を混在させないという規約を設ければ、これらのフラグ情報は有効である。
【０１８８】
次に図１３を参照して、光ディスク１００の論理フォーマット（論理構造）について、“ＰＧＣ”及び“ＰＧＣＩ”と共に説明する。ここに図１３は、本実施例に係る光ディスクにおける論理構造（論理フォーマット）を概念的に示したものである。
【０１８９】
説明の便宜上、図１３の下位の階層から説明していくと、上述の如きセル２０により構成されている物理構造（図１２参照）のうち、複数のセル２０を選択して組合わせることにより、一つのプログラム６０が論理上構成される。なお、このプログラム６０を一又は複数個纏めたものを視聴者が自由に選択して視聴することができる最小単位として製作者が定義することもでき、この単位をＰＴＴ（Ｐａｒｔ  ｏｆ  Ｔｉｔｌｅ）という。複数のプログラム６０を組合わせて一つのＰＧＣ（Ｐｒｏｇｒａｍ  Ｃｈａｉｎ）６１が論理上構成される。このＰＧＣ６１の単位で、前述したＰＧＣＩが定義され、当該ＰＧＣＩには、夫々のプログラム６０を再生する際の各プログラム６０毎のセル２０の再生順序、夫々のセル２０の光ディスク１００上の記録位置であるアドレス、一つのプログラム６０における再生すべき先頭セル２０の番号、などが含まれている。一つのＰＧＣ６１には、上記ＰＧＣＩの他に、実体的な映像及び音声等のデータがプログラム６０の組合わせとして（換言すれば、セル２０の組合わせとして）含まれることとなる。一又は複数のＰＧＣ６１により、一つのタイトル６２が論理上構成される
本実施例では、ＭＰＥＧ１又は２に準拠して構築されたタイトルであれば、一又は複数のＶＴＳ＃ｌ（ｌ＝１、…、ｎ）１１１が論理上構成される。他方、ＭＰＥＧ４に準拠して構築されたタイトルであれば、一又は複数のＶＴＳ２＃ｌ（ｌ＝１、…、ｍ）１２１が論理上構成される（図２参照）。
【０１９０】
以上図１から図１３において説明したように、例えばビデオデータを再生する際には、再生すべきタイトルが特定された際、再生すべきＰＧＣが特定された際、再生すべきセルが特定された際、再生すべきＶＯＢＵが特定された際、実際に再生すべきＶＯＢＵにアクセスした後等のタイミングで、フラグ情報（即ち、ＶＯＢ＿ＶＥＲＮ＿ＦＬＧ３０１〜３０８）を参照することで、タイトル単位、ＰＧＣＩ単位、セル単位、ＶＯＢＵ単位等で、適宜デコーダを切り替えて、ビデオデータの再生が可能となる。
【０１９１】
従って、例えばＤＶＤプレーヤ等の情報再生装置をして、当該フラグ情報を参照し、適宜デコーダを切り替えることで、既存のメニュー用実体情報（即ち、ＶＭＧＭ＿ＶＯＢ或いはＶＴＳＭ＿ＶＯＢ）を転用して、メニュー画面を表示出力することが可能となる。或いは、異なる圧縮符号化方式により圧縮符号化された情報単位（例えば、ＶＯＢＵ）を含むタイトルを、圧縮符号化方式の共通している情報単位ごとに選択し、適切に再生することが可能となる。
【０１９２】
（情報再生装置の実施例）
次に図１４から図１７を参照して、本発明に係る情報再生装置の実施例について説明する。
【０１９３】
先ず図１４を参照して情報再生装置の構成及び動作について説明する。ここに、図１４は、情報再生装置の実施例のブロック図である。本実施例において、情報再生装置は、ＤＶＤプレーヤとして構築されている。
【０１９４】
図１４において、情報再生装置は、ピックアップ８０と、復調訂正部８１と、ストリームスイッチ８２及び８４と、トラックバッファ８３と、システムバッファ８５と、デマルチプレクサ８６と、ＶＢＶ（Ｖｉｄｅｏ  Ｂｕｆｆｅｒ  Ｖｅｒｉｆｉｅｒ  ）バッファ８７と、ビデオデコーダ８８と、サブピクチャバッファ８９と、サブピクチャデコーダ９０と、混合器９１と、オーディオバッファ９２と、オーディオデコーダ９３と、入力部９８と、ディスプレイ９９と、システムコントローラ２００と、ドライブコントローラ２０１と、スピンドルモータ２０２と、スライダモータ２０３とを備えて構成されている。
【０１９５】
本実施例では特に、ビデオデコーダ８８は、ＭＰＥＧ２デコーダ８８ａ及びＭＰＥＧ４デコーダ８８ｂ、並びにこれら両デコーダへのビデオ信号Ｓｖの入力を切り替える切替スイッチ８８ｃを備えて構成されている。そして、切替スイッチ８８ｃは、システムコントローラ２００により生成出力される制御信号Ｓｃｖｄに応じて切替制御される。
【０１９６】
尚、図１４に示す構成は、ビデオＤＶＤプレーヤとして構築された情報再生装置における構成のうち、映像及び音声の再生に関する部分のみを記載したものであり、例えばピックアップ８０、スピンドルモータ２０２、スライダモータ２０３等をサーボ制御するためのサーボ回路等は従来技術と同様であるので、記載及び細部説明を省略する。
【０１９７】
続いて、本実施例の情報再生装置における各構成要素の詳細構成と共に、本実施例の基本的な動作について説明する。
【０１９８】
ピックアップ８０は、図示しないレーザダイオード、ビームスプリッタ、対物レンズ、光検出器等を含み、光ディスク１００に対して再生光としての光ビームＢを照射すると共に、当該光ビームＢの光ディスク１００からの反射光を受光し、光ディスク１００上に形成されている情報ピットに対応する検出信号Ｓｐを出力する。このとき、光ビームＢが光ディスク１００上の情報トラックに対して正確に照射されると共に、光ディスク１００上の情報記録面で正確に焦点を結ぶように、図示しない対物レンズに対して従来技術と同様の方法によりトラッキングサーボ制御及びフォーカスサーボ制御が施されている。
【０１９９】
ピックアップ８０から出力された検出信号Ｓｐは、復調訂正部８１に入力され、復調処理及び誤り訂正処理が行われて復調信号Ｓｄｍが生成され、ストリームスイッチ８２及びシステムバッファ８５に出力される。
【０２００】
復調信号Ｓｄｍが入力されたストリームスイッチ８２は、ドライブコントローラ２０１からのスイッチ信号Ｓｓｗ１によりその開閉が制御され、閉のときには、入力された復調信号Ｓｄｍをそのままスルーしてトラックバッファ８３に出力する。一方、ストリームスイッチ８２が開のときには、復調信号Ｓｄｍは出力されず、デコードに不要な制御情報（信号）がトラックバッファ８３に入力されることがない。
【０２０１】
復調信号Ｓｄｍが入力されるトラックバッファ８３は、ＦＩＦＯ（Ｆｉｒｓｔ  Ｉｎ  Ｆｉｒｓｔ  Ｏｕｔ）メモリ等により構成され、入力された復調信号Ｓｄｍを一時的に記憶すると共に、ストリームスイッチ８４が閉とされているときには、記憶した復調信号Ｓｄｍを連続的に出力する。
【０２０２】
連続的に復調信号Ｓｄｍが入力されるストリームスイッチ８４は、デマルチプレクサ８６における分離処理において、後段の各種バッファがオーバーフローしたり、逆に空になってデコード処理が中断することがないように、システムコントローラ２００からのスイッチ信号Ｓｓｗ２  により開閉が制御される。
【０２０３】
一方、トラックバッファ８３と並行して復調信号Ｓｄｍが入力されるシステムバッファ８５は、光ディスク１００をローディングしたときに最初に検出される、光ディスク１００に記録されている情報全体に関する管理情報（即ち、ＶＭＧ、ＶＭＧ２等）などを蓄積して、制御情報Ｓｃ  としてシステムコントローラ２００に出力すると共に、再生中にナビパック４１毎のＤＳＩデータ５１を一時的に蓄積し、システムコントローラ２００に制御情報Ｓｃとして出力する。
【０２０４】
ストリームスイッチ８４を介して復調信号Ｓｄｍが連続的に入力されたデマルチプレクサ８６においては、当該復調信号Ｓｄｍから各パック毎にビデオデータ、オーディオデータ、サブピクチャデータ及びナビパック毎のＰＣＩデータを抽出し、ビデオ信号Ｓｖ  、副映像信号Ｓｓｐ、オーディオ信号Ｓａｄ並びにＰＣＩ信号Ｓｐｃとして、夫々ＶＢＶバッファ８７、サブピクチャバッファ８９、及びオーディオバッファ９２に出力する。
【０２０５】
ビデオ信号Ｓｖ  が入力されるＶＢＶバッファ８７は、ＦＩＦＯメモリ等により構成され、ビデオ信号Ｓｖを一時的に蓄積し、ビデオデコーダ８８に出力する。ＶＢＶバッファ８７は、例えばＭＰＥＧ２方式等により圧縮されているビデオ信号Ｓｖ  における各ピクチャ毎のデータ量のばらつきを補償するためのものである。そして、データ量のばらつきが補償されたビデオ信号Ｓｖ  がビデオデコーダ８８に入力される。
【０２０６】
本実施例では特に、ＭＰＥＧ１又は２に準拠したタイトル或いはメニュー画面を再生する際には、上述した第１、第２或いは第３属性情報に基づくシステムコントローラ２００による制御下で、制御信号Ｓｃｖｄにより切替スイッチ８８ｃが切り替えられることで、ＭＰＥＧ１／２デコーダ８８ａが用いられる。そして、ＭＰＥＧ１又は２に準拠してのビデオ信号Ｓｖの復調が適切に行われて、復調ビデオ信号Ｓｖｄとして混合器９１に出力される。一方、ＭＰＥＧ４に準拠したタイトル或いはメニュー画面を再生する際には、上述した第１、第２或いは第３属性情報に基づくシステムコントローラ２００による制御下で、制御信号Ｓｃｖｄにより切替スイッチ８８ｃが切り替えられることで、ＭＰＥＧ４デコーダ８８ｂが用いられる。そして、ＭＰＥＧ４に準拠してのビデオ信号Ｓｖの復調が適切に行われて、復調ビデオ信号Ｓｖｄとして混合器９１に出力される。
【０２０７】
一方、副映像信号Ｓｓｐが入力されるサブピクチャバッファ８９は、入力された副映像信号Ｓｓｐを一時的に蓄積し、サブピクチャデコーダ９０に出力する。サブピクチャバッファ８９は、副映像信号Ｓｓｐに含まれるサブピクチャデータ４４を、当該サブピクチャデータ４４に対応するビデオデータ４２と同期して出力するためのものである。そして、ビデオデータ４２との同期が取られた副映像信号Ｓｓｐがサブピクチャデコーダ９０に入力される。ここでは、システムコントローラ２００から出力される制御信号Ｓｃｈに基づいて、復調が行われ、復調副映像信号Ｓｓｐｄとして混合器９１に出力される。
【０２０８】
ビデオデコーダ８８から出力された復調ビデオ信号Ｓｖｄ及びサブピクチャデコーダ９０から出力された復調副映像信号Ｓｓｐｄ  （対応する復調ビデオ信号Ｓｖｄとの同期が取れている。）は、混合器９１により混合され、最終的な表示すべき映像信号Ｓｖｐとして図示しないＣＲＴ（Ｃａｔｈｏｄｅ  Ｒａｙ  Ｔｕｂｅ  ）、ＬＣＤ（液晶ディスプレイ）、ＰＤＰ（プラズマディスプレイ）等の表示部に出力される。
【０２０９】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオバッファ９２は、オーディオ信号Ｓａｄを対応する映像情報を含むビデオ信号Ｓｖ  又は副映像信号Ｓｓｐに同期して出力させるためのものであり、対応する映像情報の出力状況に応じてオーディオ信号Ｓａｄを遅延させる。そして、対応する映像情報と同期するように時間調整されたオーディオ信号Ｓａｄは、オーディオデコーダ９３に出力され、システムコントローラ２００から出力される制御信号Ｓｃａに基づいて、リニアＰＣＭ方式における再生処理が施されて復調オーディオ信号Ｓａｄｄとして図示しないスピーカ等に出力される。
【０２１０】
次に、図１５から図１７を参照して、例えば第１、第２或いは第３属性情報に基づいてデコーダを切り替えて光ディスク１００を再生する場合における再生サブルーチンについて説明する。ここに、図１５は、第１属性情報に基づいてデコーダを切り替えて再生する動作を示すフローチャートである。図１６は、第２属性情報に基づいてデコーダを切り替えて再生する動作を示すフローチャートである。図１７は、第３属性情報に基づいてタイトルを再生する動作を示すフローチャートである。
【０２１１】
（１）ディスクメニューの再生処理：
第１属性情報に基づくディスクメニューの再生処理について、図１５を参照して説明する。
【０２１２】
本実施例において、第１属性情報は、１ビットのフラグ情報である“ＶＯＢ＿ＶＥＲＮ＿ＦＬＧ”３０１（図４参照）又は“ＶＯＢ＿ＶＥＲＮ＿ＦＬＧ”３０２（図５参照）として“ＶＭＧ２”１２０（図２及び図３参照）内に記録されている。そして、第１属性情報は、第１メニュー用実体情報の一例たるＶＭＧＭ２＿ＶＯＢＳ（図３参照）の圧縮符号化方式を示している。
【０２１３】
尚、以下の再生制御処理は概ね、情報再生装置のうち、記録媒体からロードされた又は通信回線を介してダウンロードされた再生制御用のコンピュータプログラムに従って機能するシステムコントローラ２００（図１４参照）によって行われるものである。
【０２１４】
図１５に示すように、例えばユーザによって光ディスク１００が情報再生装置（図１４参照）にセットされ、ディスク１００の再生処理が開始される（ステップＳ１１）。ここでは、再生開始コマンド等が入力されることで又は再生開始コマンド等の入力を待たずして、実際のコンテンツ再生の前処理として、ディスクメニュー再生処理が開始される。
【０２１５】
尚、このようなディスクメニュー再生処理は、実際のコンテンツ再生用の制御プログラムにおけるサブルーチンとして所定条件が満たされる場合に若しくは定期的又は不定期的に実行されてもよい。或いは、メニュー表示用コマンド等に応じて選択的に実行されてもよい。
【０２１６】
先ず、光ディスク１００に記録されている“ＶＭＧ２”１２０（図３参照）が読み込まれる（ステップＳ１２）。その際に、例えば、“ＶＯＢ＿ＶＥＲＮ＿ＦＬＧ”３０１（図４参照）又は“ＶＯＢ＿ＶＥＲＮ＿ＦＬＧ”３０２（図５参照）として記録されている第１属性情報が読込まれ、ＶＭＧＭ２＿ＶＯＢＳの圧縮符号化方式が、ＭＰＥＧ４であるか否かを判定する（ステップＳ１３）。第１属性情報が、例えばＭＰＥＧ４に準拠した圧縮符号化方式を示している場合には（ステップＳ１３：Ｙｅｓ）、システムコントローラ２００の制御下で、制御信号Ｓｃｖｄにより切替スイッチ８８ｃがＭＰＥＧ４デコーダ８８ｂ側に切り替えられる（図１４参照）。そして、ＭＰＥＧ４デコーダ８８ｂにより、ＶＭＧＭ２＿ＶＯＢＳをデコードし（ステップＳ１４）、メニュー画面を表示出力する（ステップＳ１６）。
【０２１７】
他方、ステップＳ１３の判定において第１属性情報が、例えばＭＰＥＧ１又は２に準拠した圧縮符号化方式を示している場合には（ステップＳ１３：Ｎｏ）、システムコントローラ２００の制御下で、制御信号Ｓｃｖｄにより切替えスイッチ８８ｃがＭＰＥＧ１／２デコーダ８８ａ側に切り替えられる。そして、ＭＰＥＧ１／２デコーダ８８ａにより、ＶＭＧＭ２＿ＶＯＢＳをデコードし（ステップＳ１５）、メニュー画面を表示出力する（ステップＳ１６）。なお、システムコントローラは、メニュー画面を表示出力する間、常にＶＭＧＭ２＿ＶＯＢＳのＮＶ＿ＰＣＫ４１に含まれる“ＶＯＢ＿ＶＥＲＮ＿ＦＬＧ”３０８が、先に読み込んだ“ＶＯＢ＿ＶＥＲＮ＿ＦＬＧ”３０１（図４参照）又は“ＶＯＢ＿ＶＥＲＮ＿ＦＬＧ”３０２（図５参照）と一致しているか確認を行い、万が一異なる場合には、“ＶＯＢ＿ＶＥＲＮ＿ＦＬＧ”３０８に従い切替えスイッチ８８ｃを制御しても良い。
【０２１８】
（２）タイトルメニューの再生処理：
第２属性情報に基づくタイトルメニューの再生処理について、図１６を参照して説明する。
【０２１９】
本実施例において、第２属性情報は、１ビットのフラグ情報である“ＶＯＢ＿ＶＥＲＮ＿ＦＬＧ”３０４（図８参照）又は“ＶＯＢ＿ＶＥＲＮ＿ＦＬＧ”３０６（図１０参照）として“ＶＴＳ２”１２１（図２及び図７参照）内に記録されている。そして、第２属性情報は、第２メニュー用実体情報の一例たるＶＴＳＭ２＿ＶＯＢＳ（図７参照）の圧縮符号化方式を示している。
【０２２０】
尚、以下の再生制御処理は概ね、情報再生装置のうち、記録媒体からロードされた又は通信回線を介してダウンロードされた再生制御用のコンピュータプログラムに従って機能するシステムコントローラ２００（図１４参照）によって行われるものである。
【０２２１】
図１６に示すように、例えばユーザによって光ディスク１００が情報再生装置（図１４参照）にセットされ、ディスク１００の再生処理が開始される（ステップＳ１１）。
【０２２２】
先ず、光ディスク１００に記録されている“ＶＴＳ２”１２１（図７参照）が読み込まれる（ステップＳ２２）。その際に、例えば、“ＶＯＢ＿ＶＥＲＮ＿ＦＬＧ”３０４（図８参照）又は“ＶＯＢ＿ＶＥＲＮ＿ＦＬＧ”３０６（図１０参照）として記録されている第２属性情報が読込まれ、ＶＴＳＭ２＿ＶＯＢの圧縮符号化方式が、ＭＰＥＧ４であるか否かを判定する（ステップＳ２３）。第２属性情報が、例えばＭＰＥＧ４に準拠した圧縮符号化方式を示している場合には（ステップＳ２３：Ｙｅｓ）、システムコントローラ２００の制御下で、制御信号Ｓｃｖｄにより切替スイッチ８８ｃがＭＰＥＧ４デコーダ８８ｂ側に切り替えられる（図１４参照）。そして、ＭＰＥＧ４デコーダ８８ｂにより、ＶＴＳＭ２＿ＶＯＢをデコードし（ステップＳ２４）、メニュー画面を表示出力する（ステップＳ２６）。
【０２２３】
他方、ステップＳ２３の判定において第２属性情報が、例えばＭＰＥＧ１又は２に準拠した圧縮符号化方式を示している場合には（ステップＳ２３：Ｎｏ）、システムコントローラ２００の制御下で、制御信号Ｓｃｖｄにより切替えスイッチ８８ｃがＭＰＥＧ１／２デコーダ８８ａ側に切り替えられる。そして、ＭＰＥＧ１／２デコーダ８８ａにより、ＶＴＳＭ２＿ＶＯＢをデコードし（ステップＳ２５）、メニュー画面を表示出力する（ステップＳ２６）。なお、システムコントローラは、メニュー画面を表示出力する間、常にＶＴＳＭ２＿ＶＯＢのＮＶ＿ＰＣＫ４１に含まれる“ＶＯＢ＿ＶＥＲＮ＿ＦＬＧ”３０８（図１２参照）が、先に読み込んだ“ＶＯＢ＿ＶＥＲＮ＿ＦＬＧ”３０４（図８参照）又は“ＶＯＢ＿ＶＥＲＮ＿ＦＬＧ”３０６（図１０参照）と一致しているか確認を行い、万が一異なる場合には、“ＶＯＢ＿ＶＥＲＮ＿ＦＬＧ”３０８に従い切替えスイッチ８８ｃを制御しても良い。
【０２２４】
（３）異なる圧縮符号化方式により圧縮符号化された処理単位を含むタイトルの再生：
第３属性情報に基づくタイトルの再生処理について、図１７を参照して説明する。
【０２２５】
本実施例において、第３属性情報は、１ビットのフラグ情報である“ＶＯＢ＿ＶＥＲＮ＿ＦＬＧ”３０８（図１２参照）として各“ＶＯＢＵ”（図１２参照）内に記録されている。そして、第３属性情報は、第２実体情報の一例たるＶＴＳ２＿ＶＯＢ（図７参照）を構成するＶＯＢＵの圧縮符号化方式を示している。
【０２２６】
圧縮符号化方式は、ＶＯＢＵ単位で変更される必要は無く、セル単位、ＶＯＢ単位、ＰＧＣ単位、タイトル単位等の、より大きな情報単位で変更されてもよい。或いは、パック単位のより小さい情報単位で変更されることも可能である。そして、予め規約上で変更可能な情報単位を設定しておけば、当該既知の変更可能な情報単位に対して、最低限１箇所ずつ当該第３属性情報を記録することにより、その再生時における圧縮符号化方式の識別は可能となる。但し、ある程度冗長的に、第３属性情報を記録してもよく、これは再生処理を簡易化する観点からは望ましい場合もある。本実施例では、図１２に示したように、各ＶＯＢＵに第３属性情報を記録するものとし、これらに基づいて以下の如き再生制御が実行される。
【０２２７】
本実施例では以下に説明するように、各ＶＯＢＵに記録された第３属性情報をリアルタイム的に参照して、各ＶＯＢＵの圧縮符号化方式を識別しながら再生を行う。但し、圧縮符号化方式をＶＯＢＵ別に示す第３属性情報を、ＶＯＢＵ以外の領域、例えば、１ビットのフラグ情報である“ＶＯＢ＿ＶＥＲＮ＿ＦＬＧ”３０３（図６参照））として“ＶＭＧ２”１２０（図２及び図３参照）内に記録したり、或いは“ＶＯＢ＿ＶＥＲＮ＿ＦＬＧ”３０５（図９参照）又は“ＶＯＢ＿ＶＥＲＮ＿ＦＬＧ”３０７（図１１）として“ＶＴＳ２”１２１（図２及び図７参照）内に記録しておき、各ＶＯＢＵの再生に先立ち、各ＶＯＢＵの圧縮符号化方式を識別することも可能である。
【０２２８】
尚、以下の再生制御処理は概ね、情報再生装置のうち、記録媒体からロードされた又は通信回線を介してダウンロードされた再生制御用のコンピュータプログラムに従って機能するシステムコントローラ２００（図１４参照）によって行われるものである。
【０２２９】
図１７に示すように、例えばユーザによって光ディスク１００が情報再生装置（図１４参照）にセットされ、その後、メニュー表示に応じたタイトル選択等の所定処理（図１５及び図１６参照）が実行された後に、再生対象たるタイトルを構成するＶＯＢ単位或いはセル単位（図１３参照）での再生処理が開始される（ステップＳ３１）。
【０２３０】
ここでは先ず、パック化され記録されているＶＯＢＵの読み込みが行われる（ステップＳ３２）。その際に、例えば、“ＶＯＢ＿ＶＥＲＮ＿ＦＬＧ”３０８（図１２参照）として記録されている第３属性情報が読込まれ、各ＶＯＢＵの圧縮符号化方式が、ＭＰＥＧ４であるか否かを判定する（ステップＳ３３）。第３属性情報が、例えばＭＰＥＧ４に準拠した圧縮符号化方式を示している場合には（ステップＳ３３：Ｙｅｓ）、システムコントローラ２００の制御下で、制御信号Ｓｃｖｄにより切替スイッチ８８ｃがＭＰＥＧ４デコーダ８８ｂ側に切り替えられる（図１４参照）。そして、ＭＰＥＧ４デコーダ８８ｂにより、対応するＶＯＢＵをデコードし（ステップＳ３４）、当該ＶＯＢＵを再生することによって、再生すべき映像コンテンツを表示出力する（ステップＳ３６）。
【０２３１】
他方、ステップＳ３３の判定において第３属性情報が、例えばＭＰＥＧ１又は２に準拠した圧縮符号化方式を示している場合には（ステップＳ３３：Ｎｏ）、システムコントローラ２００の制御下で、制御信号Ｓｃｖｄにより切替えスイッチ８８ｃがＭＰＥＧ１／２デコーダ８８ａ側に切り替えられる。そして、ＭＰＥＧ１／２デコーダ８８ａにより、対応するＶＯＢＵをデコードし（ステップＳ３５）、当該ＶＯＢＵを再生することによって、再生すべき映像コンテンツを表示出力する（ステップＳ３６）。
【０２３２】
続いて、再生すべき映像コンテンツの表示出力を連続して実行するために再生すべき次のＶＯＢが存在するか否かが判定され（ステップＳ３７）、これが存在すれば（ステップＳ３７：Ｙｅｓ）、ステップＳ３２に戻ってＶＯＢＵの読み込み以降が繰り返し実行され、ステップＳ３６におけるＶＯＢＵ再生によって動画或いは静止画として、映像コンテンツが連続的に表示出力されることになる。
【０２３３】
他方、ステップＳ３７の判定の結果、次のＶＯＢＵが存在しなければ（ステップＳ３７：Ｎｏ）、再生対象たるタイトルを構成するＶＯＢ或いはセル（図１３参照）の再生が全て終了しているか否かが判定され（ステップＳ３８）、終了していなければ（ステップＳ３８：Ｎｏ）、ステップＳ３１に戻ってＶＯＢ或いはセルの読み込み以降が繰り返し実行され、再生すべきタイトルの表示出力が継続されることになる。
【０２３４】
他方、再生対象たるタイトルを構成するＶＯＢ或いはセル（図１３参照）が全て終了していれば（ステップＳ３８：Ｙｅｓ）、一連の再生処理を終了する。
【０２３５】
尚、ステップＳ３２からＳ３７では、説明の便宜上、ＶＯＢＵを一つずつ読み込み且つ再生する処理を時系列的に示しているが、実践上は、複数のＶＯＢＵをまとめてバッファに読み込むこと等によって、第３属性情報による判定を複数のＶＯＢＵに対してまとめて実行すること可能である。また、既に述べたように、圧縮符号化方式が切り替えられる情報単位を予め規約化しておくことにより、当該圧縮符号化方式の切替が実行される可能性がある情報単位毎に、ステップＳ３３の如き第３属性情報による判定処理を実行してもよい。
【０２３６】
加えて、各ＶＯＢＵを再生する際に、その圧縮符号化方式を示す“ＶＯＢ＿ＶＥＲＮ＿ＦＬＧ”３０８（図１２参照）を参照することにより、リアルタイム的に、同一圧縮符号化方式のＶＯＢＵのみを連続的に抽出しつつ（即ち、再生すべきでない圧縮符号化方式のＶＯＢＵについては破棄しつつ）、これらの抽出された複数のＶＯＢＵから動画或いは静止画として映像コンテンツを連続的に表示出力するように構成することも可能である。
【０２３７】
以上詳細に説明したように、本実施例の光ディスク１００によれば、本実施例に係る情報再生装置（図１４参照）が、ディスクメニュー、タイトルメニュー或いはタイトルの実体情報（例えば、ビデオデータ）を再生出力する際に、第１、第２又は第３属性情報の一例を構成するフラグ情報を参照することで、適宜デコーダを切り替えることが可能となる。従って、上述のＶＴＳ２のようにＭＰＥＧ４に準拠したタイトルを含む光ディスク１００において、上述の“ＶＭＧ２”１２０に格納されているディスクメニューの実体情報（即ち、ＶＭＧＭ２＿ＶＯＢＳ）或いは上述の“ＶＴＳ２”１２１に格納されているタイトルメニューの実体情報（即ち、ＶＴＳＭ２＿ＶＯＢ）について、ＭＰＥＧ１又は２に準拠して構築されている既存のメニュー情報（即ち、ＶＭＧＭ＿ＶＯＢＳ或いはＶＴＳＭ＿ＶＯＢ）を転用可能となる。即ち、ＭＰＥＧ４に準拠して新たに作成された“ＶＭＧ２”１２０及び“ＶＴＳ２”１２１を含んでなる光ディスク１００においても、新たにＭＰＥＧ４に準拠して、ＶＭＧＭ２＿ＶＯＢＳ或いはＶＴＳＭ２＿ＶＯＢを作成する必要がなくなる。このため、コンテンツ作成者をして実用上大変有利となる。
【０２３８】
尚、上述の実施例では、情報記録媒体の一例として光ディスク１００及び情報再生装置の一例として光ディスク１００に係るプレーヤについて説明したが、本発明は、光ディスク及びそのプレーヤに限られるものではなく、他の高密度記録或いは高転送レート対応の各種情報記録媒体並びにそのプレーヤにも適用可能である。
【０２３９】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報再生装置及び方法、並びに、再生制御用のコンピュータプログラムもまた本発明の技術的範囲に含まれるものである。
【図面の簡単な説明】
【図１】本発明の情報記録媒体の一実施例である光ディスクの基本構造を示し、上側部分は複数のエリアを有する光ディスクの概略平面図であり、これに対応付けられる下側部分は、その径方向におけるエリア構造の図式的概念図である。
【図２】実施例に係る光ディスク上に記録されるデータ構造を模式的に示す概念図である。
【図３】図２に示したＶＭＧ２（Ｖｉｄｅｏ  Ｍａｎａｇｅｒ  ２）内におけるデータ構造の詳細を模式的に示す概念図である。
【図４】図３に示したＶＭＧＭ２＿ＰＧＣＩ＿ＵＴ（Ｖｉｄｅｏ  Ｍａｎａｇｅｒ  Ｍｅｎｕ  ２  Ｐｒｏｇｒａｍ  Ｃｈａｉｎ  Ｉｎｆｏｒｍａｔｉｏｎ  Ｕｎｉｔ  Ｔａｂｌｅ）内におけるデータ構造の詳細を模式的に示した概念図である。
【図５】図３に示したＶＭＧＭ２＿Ｃ＿ＡＤＴ（Ｖｉｄｅｏ  Ｍａｎａｇｅｒ  Ｍｅｎｕ  ２  Ｃｅｌｌ  Ａｄｄｒｅｓｓ  Ｔａｂｌｅ）内におけるデータ構造の詳細を模式的に示した概念図である。
【図６】図３に示したＴＴ＿ＳＲＰＴ２（Ｔｉｔｌｅ  Ｓｅａｒｃｈ  Ｐｏｉｎｔｅｒ  Ｔａｂｌｅ  ２）内におけるデータ構造の詳細を模式的に示した概念図である。
【図７】図２に示したＶＴＳ２（Ｖｉｄｅｏ  Ｔｉｔｌｅ  Ｓｅｔ  ２）のデータ構造の詳細を模式的に示した概念図である。
【図８】図７に示したＶＴＳＭ２＿ＰＧＣＩ＿ＵＴ（Ｖｉｄｅｏ  Ｔｉｔｌｅ  Ｓｅｔ  Ｍｅｎｕ  ２  ＰｒｏｇｒａｍＣｈａｉｎ  Ｉｎｆｏｒｍａｔｉｏｎ  Ｕｎｉｔ  Ｔａｂｌｅ）内におけるデータ構造の詳細を模式的に示した概念図である。
【図９】図７に示したＶＴＳ２＿ＰＧＣＩＴ（Ｖｉｄｅｏ  Ｔｉｔｌｅ  Ｓｅｔ  Ｐｒｏｇｒａｍ  Ｃｈａｉｎ  Ｉｎｆｏｒｍａｔｉｏｎ  Ｔａｂｌｅ）内におけるデータ構造の詳細を模式的に示した概念図である。
【図１０】図７に示したＶＴＳＭ２＿Ｃ＿ＡＤＴ（Ｖｉｄｅｏ  Ｔｉｔｌｅ  Ｓｅｔ  Ｍｅｎｕ  ２  Ｃｅｌｌ  Ａｄｄｒｅｓｓ  Ｔａｂｌｅ）内におけるデータ構造の詳細を模式的に示した概念図である。
【図１１】図７に示したＶＴＳ２＿Ｃ＿ＡＤＴ（Ｖｉｄｅｏ  Ｔｉｔｌｅ  Ｓｅｔ  ２  Ｃｅｌｌ  Ａｄｄｒｅｓｓ  Ｔａｂｌｅ）内におけるデータ構造の詳細を模式的に示した概念図である。
【図１２】本実施例に係るＶＯＢ（Ｖｉｄｅｏ  Ｏｂｊｅｃｔ）内におけるデータ構造の詳細を模式的に示す概念図である。
【図１３】本実施例に係る光ディスクにおける論理構造（論理フォーマット）を概念的に示したものである。
【図１４】情報再生装置の実施例のブロック図である。
【図１５】実施例に係る情報再生装置の再生動作を示すフローチャートである。
【図１６】実施例に係る他の情報再生装置の再生動作を示すフローチャートである。
【図１７】実施例に係る他の情報再生装置の再生動作を示すフローチャートである。
【符号の説明】
８８  ビデオデコーダ
８８ａ  ＭＰＥＧ２デコーダ
８８ｂ  ＭＰＥＧ４デコーダ
１００  光ディスク
１０１  ファイルシステム
１１０  ＶＭＧ
１１１  ＶＴＳ
１２０  ＶＭＧ２
１２１  ＶＴＳ
２００  システムコントローラ
３０１〜３０８  ＶＯＢ＿ＶＥＲＮ＿ＦＬＧ
【図１】
2004215111.tif 000003
【図２】
2004215111.tif 000004
【図３】
2004215111.tif 000005
【図４】
2004215111.tif 000006
【図５】
2004215111.tif 000007
【図６】
2004215111.tif 000008
【図７】
2004215111.tif 000009
【図８】
2004215111.tif 000010
【図９】
2004215111.tif 000011
【図１０】
2004215111.tif 000012
【図１１】
2004215111.tif 000013
【図１２】
2004215111.tif 000014
【図１３】
2004215111.tif 000015
【図１４】
2004215111.tif 000016
【図１５】
2004215111.tif 000017
【図１６】
2004215111.tif 000018
【図１７】
2004215111.tif 000019